(57)【要約】【課題】有色画像と特色画像との積層画像の画質向上を図る。【解決手段】画像形成装置１２は、特色色材による特色画像と、有色色材による有色画像と、の積層画像を、２パス印刷または１パス印刷により形成する。情報処理装置１０の特定部６０Ｊは、色値の異なる複数のパッチ領域を規定した補正チャート用画像データを用いて、画像形成装置１２によって２パス印刷で形成された、パッチ領域の各々に対応する積層画像としての第１パッチ画像の第１測色値と色値との関係を示す目標特性を特定する。生成部６０Ｋは、補正チャート用画像データを用いて、画像形成装置１２によって１パス印刷で形成された、パッチ領域の各々に対応する積層画像としての第２パッチ画像の第２測色値と色値との関係を示す実測特性が、目標特性に近づくように、色値を補正するための補正テーブルを生成する。【選択図】図７
2018157542.tif 000002
【特許請求の範囲】
【請求項１】
特色色材による特色画像と、有色色材による有色画像と、の積層画像を、前記特色画像および前記有色画像の一方を媒体に形成して固定化した後に他方を積層して形成する２パス印刷、または、前記特色画像および前記有色画像の一方を媒体に形成した後に前記固定化を介さずに他方を積層して形成する１パス印刷、により形成する画像形成部を制御する情報処理装置であって、
色値の異なる複数のパッチ領域を規定した補正チャート用画像データを用いて、前記画像形成部によって前記２パス印刷で形成された、前記パッチ領域の各々に対応する前記積層画像としての第１パッチ画像の第１測色値と前記色値との関係を示す目標特性を特定する特定部と、
前記補正チャート用画像データを用いて、前記画像形成部によって前記１パス印刷で形成された、前記パッチ領域の各々に対応する前記積層画像としての第２パッチ画像の第２測色値と前記色値との関係を示す実測特性が、前記目標特性に近づくように、前記色値を補正するための補正テーブルを生成する生成部と、
を備える、情報処理装置。
【請求項２】
前記生成部は、
前記目標特性における前記色値を入力色値とし、前記実測特性における、前記目標特性の前記第１測色値を示す前記第２測色値に対応する前記色値を出力色値とした、前記補正テーブルを生成する、
請求項１に記載の情報処理装置。
【請求項３】
画像形成に用いる前記特色色材の種類を示す特色種類情報を取得する取得部と、
前記特色種類情報に応じた前記補正チャート用画像データを決定する決定部と、
を備え、
前記特定部は、決定された前記補正チャート用画像データを用いて前記目標特性を決定し、
前記生成部は、決定された前記補正チャート用画像データを用いて前記補正テーブルを生成する、
請求項１または請求項２に記載の情報処理装置。
【請求項４】
前記決定部は、
前記特色種類情報によって示される種類の特色色材による特色領域の特色色値を規定した特色補正チャート用画像データと、前記有色色材による有色領域の有色色値を規定した有色補正チャート用画像データと、を含む、特色色値と前記有色色値を含む前記色値によって前記特色領域と前記有色領域を積層した前記パッチ領域を規定した前記補正チャート用画像データを決定する、
請求項３に記載の情報処理装置。
【請求項５】
前記画像形成部は、媒体に対する前記有色画像と前記特色画像の積層順を切り替え可能に構成され、
前記取得部は、前記積層順を示す積層順情報を前記画像形成部から取得し、
前記特定部は、
決定された前記補正チャート用画像データを用いて、取得した前記特色種類情報によって示される種類の特色色材で、取得した前記積層順情報によって示される積層順で、前記画像形成部によって前記２パス印刷で媒体に形成された、前記第１パッチ画像の前記第１測色値と前記色値との関係を示す、前記目標特性を特定し、
前記生成部は、
決定された前記補正チャート用画像データを用いて、取得した前記特色種類情報によって示される種類の特色色材で、取得した前記積層順で前記画像形成部によって前記１パス印刷で媒体に形成された前記第２パッチ画像の前記第２測色値と前記色値との関係を示す実測特性が、前記目標特性に一致するように、前記補正テーブルを生成する、
請求項３または請求項４に記載の情報処理装置。
【請求項６】
形成対象の画像データの色値を、前記補正テーブルを用いて補正する補正部と、
補正された前記画像データを前記画像形成部へ送信する送信部と、
を備える、
請求項１〜請求項５の何れか１項に記載の情報処理装置。
【請求項７】
特色色材は、金属色、白、透明、蛍光、の何れかの色を示す色材である、請求項１〜請求項６の何れか１項に記載の情報処理装置。
【請求項８】
特色色材による特色画像と、有色色材による有色画像と、の積層画像を、前記特色画像および前記有色画像の一方を媒体に固定化した後に他方を積層して形成する２パス印刷、または、前記特色画像および前記有色画像の一方を媒体に形成した後に前記固定化を介さずに他方を積層して形成する１パス印刷、により形成する画像形成部と、前記画像形成部を制御する情報処理装置と、を備えた画像形成装置であって、
前記情報処理装置は、
色値の異なる複数のパッチ領域を規定した補正チャート用画像データを用いて、前記画像形成部によって前記２パス印刷で形成された、前記パッチ領域の各々に対応する前記積層画像としての第１パッチ画像の第１測色値と前記色値との関係を示す目標特性を特定する特定部と、
前記補正チャート用画像データを用いて、前記画像形成部によって前記１パス印刷で形成された、前記パッチ領域の各々に対応する前記積層画像としての第２パッチ画像の第２測色値と前記色値との関係を示す実測特性が、前記目標特性に近づくように、前記色値を補正するための補正テーブルを生成する生成部と、
を備える、画像形成装置。
【請求項９】
特色色材による特色画像と、有色色材による有色画像と、の積層画像を、前記特色画像および前記有色画像の一方を媒体に形成して固定化した後に他方を積層して形成する２パス印刷、または、前記特色画像および前記有色画像の一方を媒体に形成した後に前記固定化を介さずに他方を積層して形成する１パス印刷、により形成する画像形成部を制御する情報処理方法であって、
色値の異なる複数のパッチ領域を規定した補正チャート用画像データを用いて、前記画像形成部によって前記２パス印刷で形成された、前記パッチ領域の各々に対応する前記積層画像としての第１パッチ画像の第１測色値と前記色値との関係を示す目標特性を特定するステップと、
前記補正チャート用画像データを用いて、前記画像形成部によって前記１パス印刷で形成された、前記パッチ領域の各々に対応する前記積層画像としての第２パッチ画像の第２測色値と前記色値との関係を示す実測特性が、前記目標特性に近づくように、前記色値を補正するための補正テーブルを生成するステップと、
を含む情報処理方法。
【請求項１０】
特色色材による特色画像と、有色色材による有色画像と、の積層画像を、前記特色画像および前記有色画像の一方を媒体に形成して固定化した後に他方を積層して形成する２パス印刷、または、前記特色画像および前記有色画像の一方を媒体に形成した後に前記固定化を介さずに他方を積層して形成する１パス印刷、により形成する画像形成部を制御するコンピュータに実行させるための情報処理プログラムであって、
色値の異なる複数のパッチ領域を規定した補正チャート用画像データを用いて、前記画像形成部によって前記２パス印刷で形成された、前記パッチ領域の各々に対応する前記積層画像としての第１パッチ画像の第１測色値と前記色値との関係を示す目標特性を特定するステップと、
前記補正チャート用画像データを用いて、前記画像形成部によって前記１パス印刷で形成された、前記パッチ領域の各々に対応する前記積層画像としての第２パッチ画像の第２測色値と前記色値との関係を示す実測特性が、前記目標特性に近づくように、前記色値を補正するための補正テーブルを生成するステップと、
を含む情報処理プログラム。
【請求項１１】
前記補正テーブルにおける、予め定めた修正色値から最大色値までの修正範囲の出力色値を、単調増加する前記出力色値に修正する修正部、
を備える、請求項１〜請求項７の何れか１項に記載の情報処理装置。
【請求項１２】
前記修正部は、
前記補正テーブルにおける、前記修正色値を示す前記出力色値に対応する入力色値を特定する色値特定部と、
前記目標特性における、前記画像形成部によって前記１パス印刷で前記修正色値の画像を媒体に形成したときの測色値を示す第１点と、前記実測特性における最大色値を示す第２点と、の間を補間し、前記測色値と前記色値との関係を示す修正特性を生成する特性生成部と、
前記補正テーブルの前記修正範囲の前記出力色値を、前記実測特性における、前記修正特性の前記測色値を示す前記第２測色値に対応する、前記色値に修正する、色値修正部と、
を有する、請求項１１に記載の情報処理装置。
【請求項１３】
前記修正色値は、前記実測特性における最大色値の前記第２測色値を示す前記第１測色値に対応する、前記目標特性における前記色値未満である、
請求項１１または請求項１２に記載の情報処理装置。
【請求項１４】
前記修正色値は、前記実測特性における最大色値の前記第２測色値を示す前記第１測色値に対応する、前記目標特性における前記色値から、前記実測特性の最大色値と該色値との差分を減算した、色値である、請求項１１〜請求項１３の何れか１項に記載の情報処理装置。
【請求項１５】
前記修正色値は、前記目標特性における最大色値に対応する前記第１測色値と、前記実測特性における最大色値に対応する前記第２測色値と、の差が大きいほど、小さい値である、請求項１１〜請求項１４の何れか１項に記載の情報処理装置。
【請求項１６】
前記修正色値は、形成対象の画像の明度が低いほど、小さい値である、請求項１１〜請求項１５の何れか１項に記載の情報処理装置。
【請求項１７】
前記修正部は、
画像形成に用いる色材の色に応じた前記修正色値を用いて、前記色材の色ごとに、前記補正テーブルを修正する、
請求項１１〜請求項１６の何れか１項に記載の情報処理装置。
【請求項１８】
前記修正部は、
画像形成対象の媒体に応じた前記修正色値を用いて、前記補正テーブルを修正する、
請求項１１〜請求項１７の何れか１項に記載の情報処理装置。
【請求項１９】
当該情報処理装置は、転写部材に複数の画像を積層して一次転写した後に、前記画像の積層体を媒体に二次転写する前記画像形成部を制御し、
前記修正部は、
前記転写部材への転写順が早いほど、基準値より小さい値の前記修正色値を用いて、前記転写順の色ごとに前記補正テーブルを修正する、
請求項１１〜請求項１８の何れか１項に記載の情報処理装置。
【請求項２０】
前記修正部は、
予め定めた前記修正色値が、
前記実測特性における最大色値の前記第２測色値を示す前記第１測色値に対応する、前記目標特性における前記色値以上の場合、該修正色値を該色値未満に更新し、更新後の前記修正色値を用いて、前記補正テーブルを修正する、
請求項１１〜請求項１９の何れか１項に記載の情報処理装置。
【発明の詳細な説明】
【技術分野】
【０００１】
本発明は、情報処理装置、画像形成装置、情報処理方法、および情報処理プログラムに関する。
【背景技術】
【０００２】
ＣＭＹＫ等の有色色材による有色画像と、特色色材による特色画像と、を積層した積層画像を形成する装置が知られている。有色画像と特色画像との積層画像の画像形成方法には、媒体上に特色画像を形成して定着させた後に、有色画像を重ねて形成して定着させる２パス印刷や、媒体上に特色画像と有色画像を重ねて形成した後に定着させる１パス印刷がある（例えば、特許文献１参照）。
【０００３】
特許文献１には、無色透明トナーまたは白色トナーを、有色トナーより前に現像するか最後に現像するかを切替え可能とすることで、特色画像と有色画像の積層順に拘らず１パス印刷を可能とした構成が開示されている。
【発明の概要】
【発明が解決しようとする課題】
【０００４】
１パス印刷で積層画像を形成することで、ユーザの使いやすさの向上を図る事は出来る。しかし、１パス印刷を採用した場合、特色色材と有色色材が交じり合い、同じ積層画像を２パス印刷で形成した場合に比べて、画質が劣化する場合があった。
【０００５】
本発明は、上記に鑑みてなされたものであって、有色画像と特色画像との積層画像の画質向上を図る事を目的とする。
【課題を解決するための手段】
【０００６】
上述した課題を解決し、目的を達成するために、情報処理装置は、特色色材による特色画像と、有色色材による有色画像と、の積層画像を、前記特色画像および前記有色画像の一方を媒体に形成して固定化した後に他方を積層して形成する２パス印刷、または、前記特色画像および前記有色画像の一方を媒体に形成した後に前記固定化を介さずに他方を積層して形成する１パス印刷、により形成する画像形成部を制御する情報処理装置であって、色値の異なる複数のパッチ領域を規定した補正チャート用画像データを用いて、前記画像形成部によって前記２パス印刷で形成された、前記パッチ領域の各々に対応する前記積層画像としての第１パッチ画像の第１測色値と前記色値との関係を示す目標特性を特定する特定部と、前記補正チャート用画像データを用いて、前記画像形成部によって前記１パス印刷で形成された、前記パッチ領域の各々に対応する前記積層画像としての第２パッチ画像の第２測色値と前記色値との関係を示す実測特性が、前記目標特性に近づくように、前記色値を補正するための補正テーブルを生成する生成部と、を備える。
【発明の効果】
【０００７】
本発明によれば、有色画像と特色画像との積層画像の画質向上を図ることができる、という効果を奏する。
【図面の簡単な説明】
【０００８】
【図１】図１は、本実施の形態の情報処理装置のハードウェア構成の一例を示す図である。
【図２】図２は、画像データを概念的に示す模式図である。
【図３】図３は、本実施の形態の画像形成装置の構成の一例を示す模式図である。
【図４】図４は、画像形成装置の説明図である。
【図５】図５は、積層順の一例の説明図である。
【図６】図６は、１パス印刷と２パス印刷の説明図である。
【図７】図７は、情報処理装置の機能的構成を示すブロック図である。
【図８】図８は、補正管理ＤＢのデータ構成の一例を示す模式図である。
【図９】図９は、補正チャート用画像データの一例を示す模式図である。
【図１０】図１０は、媒体管理ＤＢのデータ構成の一例を示す模式図である。
【図１１】図１１は、キャリブレーション条件表示画面の一例を示す図である。
【図１２】図１２は、パッチ画像の一例の説明図である。
【図１３】図１３は、目標特性と実測特性の一例を示す線図である。
【図１４】図１４は、補正テーブル生成の一例を示す模式図である。
【図１５】図１５は、情報処理の手順の一例を示すフローチャートである。
【図１６】図１６は、情報処理の手順の一例を示すフローチャートである。
【図１７】図１７は、情報処理装置の機能的構成を示すブロック図の一例である。
【図１８】図１８は、有色補正チャート用画像データの一例を示す模式図である。
【図１９】図１９は、目標特性の一例を示す図である。
【図２０】図２０は、目標特性と実測特性をテーブルで表した図の一例である。
【図２１】図２１は、目標特性と実測特性を示す線図の一例である。
【図２２】図２２は、図２１の一部の拡大図である。
【図２３】図２３は、補正テーブルの一例を示す線図である。
【図２４】図２４は、補正テーブルとγ補正後測色値との関係の一例を示す図である。
【図２５】図２５は、目標特性と実測特性とγ変換後特性との一例を示す模式図である。
【図２６】図２６は、修正後の補正テーブルの一例を示す模式図である。
【図２７】図２７は、修正後の補正テーブル、補正テーブル、および第３測色値の関係の一例を示す図である。
【図２８】図２８は、修正特性の一例の説明図である。
【図２９】図２９は、補正テーブル更新時の情報処理の手順の一例を示すフローチャートである。
【図３０】図３０は、色管理テーブルのデータ構成の一例を示す模式図である。
【図３１】図３１は、修正特性の一例を示す模式図である。
【図３２】図３２は、修正特性の一例の説明図である。
【図３３】図３３は、媒体管理テーブルのデータ構成の一例を示す模式図である。
【図３４】図３４は、修正特性の一例を示す模式図である。
【図３５】図３５は、修正特性の一例の説明図である。
【図３６】図３６は、転写順管理テーブルのデータ構成の一例を示す模式図である。
【図３７】図３７は、修正色値の一例を示す図である。
【図３８】図３８は、修正特性の一例を示す模式図である。
【図３９】図３９は、修正特性の一例の説明図である。
【図４０】図４０は、修正特性の一例を示す模式図である。
【図４１】図４１は、修正特性の一例の説明図である。
【図４２】図４２は、画像形成装置の一例を示す模式図である。
【発明を実施するための形態】
【０００９】
以下に添付図面を参照して、情報処理装置、画像形成装置、情報処理方法、および情報処理プログラムの実施の形態を詳細に説明する。
【００１０】
（第１の実施の形態）
図１は、本実施の形態の情報処理装置１０のハードウェア構成の一例を示す図である。
【００１１】
情報処理装置１０は、本実施の形態の情報処理を行う装置である。情報処理装置１０には、ホストコンピュータ１６が接続されている。ホストコンピュータ１６は、ＰＣ（Ｐｅｒｓｏｎａｌ  Ｃｏｍｐｕｔｅｒ）などである。情報処理装置１０は、ホストコンピュータ１６から画像データを受信する。そして、情報処理装置１０は、この画像データに対して情報処理を行い、画像形成装置１２へ出力する。
【００１２】
図２は、画像データ２４を概念的に示す模式図である。画像データ２４は、有色画像データ２０と、特色画像データ２２と、を含む。なお、画像データ２４は、画像形成装置１２における画像形成条件を示すジョブコマンドなどを更に含んでいてもよい。
【００１３】
有色画像データ２０は、ＲＧＢやＣＭＹＫ等の有色の濃度値を規定した画像データである。本実施の形態では、有色画像データ２０は、互いに色の異なる複数種類の色画像データを含む。本実施の形態では、有色画像データ２０は、イエロー、マゼンタ、シアン、ブラックの各々の色画像データ（色画像データ２０Ｙ、２０Ｍ、２０Ｃ、２０Ｋ）を含む場合を一例として説明する。
【００１４】
本実施の形態では、有色画像データ２０が、画素毎に、有色の濃度値を規定した画像データである場合を説明する。このため、本実施の形態では、有色画像データ２０を構成する各色画像データ（色画像データ２０Ｙ、２０Ｍ、２０Ｃ、２０Ｋ）の各々は、対応する色（Ｃ、Ｍ、Ｙ、Ｋ）の各々の色の濃度値を画素毎に規定した画像データである。また、本実施の形態では、有色画像データ２０が、１画素の濃度値を８ｂｉｔで表したデータである場合を、一例として説明する。
【００１５】
なお、情報処理装置１０は、ホストコンピュータ１６からＲ、Ｇ、Ｂの色画像データを含む画像データ２４を受信してもよい。この場合、情報処理装置１０は、Ｒ、Ｇ、Ｂの色画像データを、Ｃ、Ｍ、Ｙ、Ｋの各々の色画像データ（２０Ｙ、２０Ｍ、２０Ｃ、２０Ｋ）に変換すればよい。
【００１６】
特色画像データ２２は、画素毎に特色の濃度値を規定した画像データである。特色とは、ＣＭＹＫやＲＧＢなどの基本的な有色以外の色である。特色は、例えば、金属による金属色、白色、透明、蛍光色、などである。金属色は、金属光沢を再現した色である。金属色は、例えば、金色や銀色などである。なお、金属色は、金色や銀色などの基本となる金属色に、更に、ＣＭＹＫやＲＧＢなどの色味を加味した色であってもよい。また、蛍光色は、ＣＭＹＫなどの色味を蛍光色で示した色であればよい。また、特色色材には、紫外線などの特定の波長領域の光を吸収または反射する成分が含まれていてもよい。
【００１７】
なお、本実施の形態では、特色画像データ２２は、１画素の濃度値を８ｂｉｔで表したデータである場合を、一例として説明する。
【００１８】
図１に戻り説明を続ける。情報処理装置１０は、ホストコンピュータ１６から受信した画像データ２４に対して情報処理を行う。この情報処理により、情報処理装置１０は、ホストコンピュータ１６から受付けた画像データに対して、各種補正などの処理を行うと共に、画像形成装置１２で処理可能な形式への変換を行う。そして、情報処理装置１０は、変換・補正などの処理を行った画像データを、画像形成装置１２へ出力する。
【００１９】
すなわち、情報処理装置１０は、画像形成装置１２で処理可能な画像データを画像形成装置１２へ送信することで、画像形成装置１２を制御する。
【００２０】
情報処理装置１０は、ＣＰＵ（Ｃｅｎｔｒａｌ  Ｐｒｏｃｅｓｓｉｎｇ  Ｕｎｉｔ）１０Ａと、ＲＯＭ１０Ｂと、ＲＡＭ１０Ｃと、エンジンインターフェース１０Ｄと、パネルインターフェース１０Ｅと、ＵＩ（ユーザインターフェース）部１０Ｊと、ホストインターフェース１０Ｆと、ＨＤＤ（ハードディスクドライブ）１０Ｈと、を備える。ＣＰＵ１０Ａ、ＲＯＭ１０Ｂ、ＲＡＭ１０Ｃ、エンジンインターフェース１０Ｄ、パネルインターフェース１０Ｅ、ホストインターフェース１０Ｆ、およびＨＤＤ１０Ｈは、バス１０Ｋを介してデータ授受可能に接続されている。
【００２１】
パネルインターフェース１０Ｅは、ＵＩ部１０Ｊの接続インターフェースである。ＵＩ部１０Ｊは、ユーザからの操作指示を受付ける入力機能と、各種画像を表示する表示機能と、を備える。なお、ＵＩ部１０Ｊは、入力機能と、表示機能と、を別体として備えた構成であってもよい。
【００２２】
入力機能の一例は、タッチパネルである。入力機能の一例は、キーボード、マウス、などである。表示機能の一例は、液晶表示装置や、有機ＥＬを用いた表示装置などである。
【００２３】
ホストインターフェース１０Ｆは、ホストコンピュータ１６の接続インターフェースである。エンジンインターフェース１０Ｄは、画像形成装置１２の接続インターフェースである。
【００２４】
次に、測色器１４について説明する。測色器１４は、媒体上に形成された画像の色を計測する装置である。測色器１４には、公知の測色計を用いればよい。例えば、測色器１４は、測定対象物に光を照射し、反射光を受光することで色を計測する。測色器１４は、自動走査式であってもよいし、手動走査式であってもよい。本実施の形態では、測色器１４は、媒体上に形成されたパッチ画像の各々の色を測色する（詳細後述）。
【００２５】
例えば、測色器１４は、ホストコンピュータ１６に接続されている。具体的には、測色器１４は、ＵＳＢ（Ｕｎｉｖｅｒｓａｌ  Ｓｅｒｉａｌ  Ｂｕｓ）ケーブルなどによってホストコンピュータ１６に接続されている。なお、測色器１４とホストコンピュータ１６との接続形態は、ＵＳＢケーブルを用いた接続に限定されない。また、測色器１４は、情報処理装置１０に接続されていてもよい。本実施の形態では、一例として、測色器１４がホストコンピュータ１６に接続された形態を説明する。
【００２６】
次に、画像形成装置１２について説明する。画像形成装置１２は、画像形成部の一例である。画像形成装置１２は、情報処理装置１０で生成された画像データを用いて、媒体に画像を形成する。
【００２７】
なお、媒体は、画像形成可能な媒体であればよい。媒体は、例えば、公知の紙媒体（用紙）、合成紙、ビニール紙などである。
【００２８】
画像形成装置１２は、特色色材による特色画像と、有色色材による有色画像と、の積層画像を形成可能な装置である。画像形成装置１２は、例えば、電子写真方式や、インクジェット方式の画像形成装置である。
【００２９】
本実施の形態では、一例として、画像形成装置１２が電子写真方式の画像形成装置である場合を説明する。また、本実施の形態では、画像形成装置１２には、有色色材および特色色材として、ＣＭＹＫの有色トナーと、特色トナーと、が搭載されている場合を説明する。特色トナーとは、特色を実現するために用いるトナーである。特色トナーは、例えば、金属トナーや、透明な（無色の）トナーや、白色トナーや、蛍光トナー、などである。なお、画像形成装置１２は、有色色材および特色色材として、ＣＭＹＫの有色インクと、特色の特色インクと、を用いて画像を形成する装置であってもよい。
【００３０】
図３は、本実施の形態の画像形成装置１２の構成の一例を示す模式図である。画像形成装置１２は、パネル操作部３１と本体部３０とを備える。パネル操作部３１は、ユーザによる各種操作を受付けると共に、各種画像を表示する。本体部３０には、画像形成に用いる機構が設けられている。
【００３１】
詳細には、本体部３０は、有色画像形成ユニット３２と、特色画像形成ユニット３３と、を備える。
【００３２】
有色画像形成ユニット３２は、有色画像形成ユニット３２Ｃ、３２Ｍ、３２Ｙ、３２Ｋを含む。有色画像形成ユニット３２Ｃ、３２Ｍ、３２Ｙ、３２Ｋは、それぞれ、ＣＭＹＫの各々の有色トナーによる有色トナー像の形成される像担持体を含む。有色画像形成ユニット３２の像担持体に形成された有色トナー像は、一次転写ユニット３４Ｃ、３４Ｍ、３４Ｙ、３４Ｋの各々によって中間転写ベルト３９に一次転写される。
【００３３】
特色画像形成ユニット３３は、特色トナーによる特色トナー像の形成される像担持体を含む。特色画像形成ユニット３３の像担持体に形成された特色トナー像は、一次転写ユニット３４Ｓによって中間転写ベルト３９に一次転写される。給紙トレイ３７に貯留された媒体４０は、１枚ずつ二次転写ユニット３５へ搬送される。
【００３４】
中間転写ベルト３９に一次転写された特色トナー像および有色トナー像は、二次転写ユニット３５によって、媒体４０に二次転写され、定着ユニット３６によって定着される。すなわち、定着ユニット３６によって、有色画像および特色画像が媒体４０に定着される。定着は、固定化の一例である。
【００３５】
なお、特色色材および有色色材として、特色インクおよび有色インクを用いる場合には、定着ユニット３６は、二次転写ユニット３５に付与されたインク（特色インク、有色インク）を乾燥することによって、媒体４０に固定化すればよい。すなわち、乾燥も、固定化の一例である。
【００３６】
特色画像と有色画像の積層画像の形成された媒体４０は、排出トレイ３８へ排出される。
【００３７】
ここで、本実施の形態では、画像形成装置１２は、有色画像形成ユニット３２と特色画像形成ユニット３３の位置を入れ替え可能である。
【００３８】
図４は、画像形成装置１２の説明図である。本実施の形態では、画像形成装置１２は、有色画像形成ユニット３２に対して中間転写ベルト３９の移動方向Ｘの上流側に、特色画像形成ユニット３３を配置することができる（図４（Ａ）参照）。また、画像形成装置１２は、有色画像形成ユニット３２に対して中間転写ベルト３９の移動方向Ｘの下流側に、特色画像形成ユニット３３を配置することができる（図４（Ｂ）参照）。
【００３９】
これらの有色画像形成ユニット３２と特色画像形成ユニット３３の配置位置は、例えば、ユーザによる位置交換作業によって変更可能である。また、これらの有色画像形成ユニット３２と特色画像形成ユニット３３の配置位置は、これらの位置を入れ替えるための駆動機構を設けた構成とすることで、該駆動機構により位置交換可能としてもよい。
【００４０】
すなわち、本実施の形態の画像形成装置１２は、媒体４０に対する、有色画像と特色画像の積層順を可変な構成である。
【００４１】
図５は、積層順の一例の説明図である。例えば、有色画像形成ユニット３２と特色画像形成ユニット３３の配置を、媒体４０上に、有色画像５４、特色画像５２の順に積層した積層画像５０を形成可能な配置とする。この場合、画像形成装置１２によって形成される積層画像５０は、図５（Ａ）に示すように、媒体４０上に、有色画像５４および特色画像５２をこの順に積層した画像となる。
【００４２】
また、有色画像形成ユニット３２と特色画像形成ユニット３３の配置を、媒体４０上に、特色画像５２、有色画像５４の順に積層した積層画像５０を形成可能な配置とする。この場合、画像形成装置１２によって形成される積層画像５０は、図５（Ｂ）に示すように、媒体４０上に、特色画像５２および有色画像５４をこの順に積層した積層画像５０となる。
【００４３】
ここで、これらの積層画像５０を画像形成装置１２で形成する方法には、１パス印刷と２パス印刷がある。図６は、１パス印刷と２パス印刷の説明図である。
【００４４】
図６（Ａ）は２パス印刷の説明図である。２パス印刷は、特色画像５２および有色画像５４の一方を媒体４０に形成して固定化した後に、該一方の上に他方を積層して形成する印刷方法である。
【００４５】
固定化とは、色材を媒体４０に固定化することを示す。具体的には、色材がトナー（特色トナー、有色トナー）である場合、固定化とは定着を意味する。また、色材がインク（特色インク、有色インク）である場合、固定化とは乾燥を意味する。
【００４６】
例えば、２パス印刷では、図６（Ａ）に示すように、媒体４０上に特色トナー５２’を付与した後に定着することで特色画像５２とし、更にその上に、有色トナー５４’を付与した後に定着することで、特色画像５２上に有色画像５４を積層した積層画像５０を形成する。
【００４７】
図６（Ｂ）は、１パス印刷の説明図である。１パス印刷は、特色画像５２および有色画像５４の一方を媒体４０に形成した後に、固定化を介さずに、該一方の上に他方を積層して形成する印刷方法である。
【００４８】
例えば、１パス印刷では、図６（Ｂ）に示すように、媒体４０上に特色トナー５２’を付与した後に、定着を介さずに、該特色トナー５２’上に有色トナー５４’を積層し、最後に定着する。これによって、媒体４０上に特色画像５２と有色画像５４を積層した積層画像５０を形成する。
【００４９】
画像形成装置１２を用いて、２パス印刷により積層画像５０を形成する場合、有色画像形成ユニット３２および特色画像形成ユニット３３の何れか一方によりトナー像（有色トナー像または特色トナー像）を媒体４０に形成して定着ユニット３６によって定着させる。そして、再度、この媒体４０を画像形成装置１２にセットし、他方のユニット（有色画像形成ユニット３２および特色画像形成ユニット３３の内の他方）によりトナー像（有色トナー像または特色トナー像）を媒体４０に形成して定着ユニット３６によって定着させる。このため、２パス印刷の場合、ユーザの操作性が悪く、また、媒体４０を繰返し搬送することなどによって、媒体４０にシワなどが入ってしまう場合がある。
【００５０】
しかし、２パス印刷により積層画像５０を形成した場合、図６（Ａ）に示すように、１パス印刷により形成した積層画像５０（図６（Ｂ）参照）に比べて、有色色材と特色色材が混ざってしまうことが抑制され、画質が良好である。
【００５１】
一方、１パス印刷により積層画像５０を形成した場合には、有色画像の形成と特色画像の形成の間に定着（固定化）を介さないため、操作性の向上や画像形成時間の短縮などの効果が得られる。しかし、１パス印刷の場合、図６（Ｂ）に示すように、有色色材と特色色材が混ざり、２パス印刷時に比べて画質が劣化する場合がある。
【００５２】
そこで、本実施の形態の情報処理装置１０では、１パス印刷で形成される積層画像５０の画質向上を図るために、画像データの色値を補正するための補正テーブルを生成する(詳細後述)。色値を補正するための補正テーブルは、γ補正テーブルと称される場合がある。
【００５３】
次に、本実施の形態の情報処理装置１０の機能的構成を説明する。図７は、情報処理装置１０の機能的構成を示すブロック図である。
【００５４】
情報処理装置１０は、制御部６０と、ＵＩ部６４と、記憶部６２と、を備える。ＵＩ部６４および記憶部６２は、制御部６０にデータや信号を授受可能に接続されている。
【００５５】
ＵＩ部６４は、ＵＩ部１０Ｊ（図１参照）によって実現する。記憶部６２は、例えば、ＨＤＤ１０Ｈ（図１参照）によって実現する。記憶部６２は、各種データを記憶する。本実施の形態では、記憶部６２は、補正管理ＤＢ６２Ａと、媒体管理ＤＢ６２Ｂと、初期補正テーブル７０Ａと、を記憶する（詳細後述）。
【００５６】
制御部６０は、色変換処理部６０Ａと、γ補正部６０Ｂと、総量規制部６０Ｃと、中間調処理部６０Ｄと、送信部６０Ｅと、更新処理部６０Ｆと、を備える。更新処理部６０Ｆは、ＵＩ制御部６０Ｇと、取得部６０Ｈと、決定部６０Ｉと、特定部６０Ｊと、生成部６０Ｋと、更新部６０Ｌと、を含む。
【００５７】
色変換処理部６０Ａ、γ補正部６０Ｂ、総量規制部６０Ｃ、中間調処理部６０Ｄ、送信部６０Ｅ、更新処理部６０Ｆ、ＵＩ制御部６０Ｇ、取得部６０Ｈ、決定部６０Ｉ、特定部６０Ｊ、生成部６０Ｋ、および更新部６０Ｌの一部またはすべては、例えば、１または複数のプロセッサにより実現される。例えば、上記各部は、ＣＰＵなどのプロセッサにプログラムを実行させること、すなわちソフトウェアにより実現してもよい。上記各部は、専用のＩＣ（Ｉｎｔｅｇｒａｔｅｄ  Ｃｉｒｃｕｉｔ）などのプロセッサ、すなわちハードウェアにより実現してもよい。上記各部は、ソフトウェアおよびハードウェアを併用して実現してもよい。複数のプロセッサを用いる場合、各プロセッサは、各部のうち１つを実現してもよいし、各部のうち２以上を実現してもよい。
【００５８】
色変換処理部６０Ａは、ホストコンピュータ１６から画像データ２４を取得する。例えば、色変換処理部６０Ａは、１画素を８ｂｉｔの濃度値で表した画像データ２４を取得する。そして、色変換処理部６０Ａは、取得した画像データ２４に含まれる有色画像データ２０について、色変換処理を行う。例えば、ホストコンピュータ１６から取得した画像データ２４に含まれる有色画像データ２０が、ＲＧＢの色空間であったとする。この場合、色変換処理部６０Ａは、ＲＧＢの色空間の有色画像データ２０を、ＣＭＹＫの色空間の有色画像データ２０へ変換する。これにより、色変換処理部６０Ａは、ＣＭＹＫ各々の色の有色画像データ２０（色画像データ２０Ｃ、２０Ｍ、２０Ｙ、２０Ｋ）を得る。そして、色変換処理部６０Ａは、色変換した有色画像データ２０を、γ補正部６０Ｂへ出力する。
【００５９】
なお、色変換処理部６０Ａは、取得した画像データ２４に含まれる特色画像データ２２については、画像処理を行わず、そのままγ補正部６０Ｂへ出力する。
【００６０】
γ補正部６０Ｂは、ＣＭＹＫの各々の色の有色画像データ２０（色画像データ２０Ｃ、２０Ｍ、２０Ｙ、２０Ｋ）、および特色画像データ２２に対して、γ補正を行う。本実施の形態では、γ補正部６０Ｂは、有色画像データ２０の色値（濃度値、階調値）を、補正テーブルを用いてγ補正する。このとき、γ補正部６０Ｂは、後述するキャリブレーション条件に対応する補正テーブルを記憶部６２から読取り、読取った補正テーブルを用いてγ補正を行う（詳細後述）。
【００６１】
なお、γ補正部６０Ｂは、取得した画像データ２４に含まれる特色画像データ２２については、γ補正を行わず、そのまま総量規制部６０Ｃへ出力する。
【００６２】
この補正テーブルは、更新処理部６０Ｆによって更新される（詳細後述）。すなわち、γ補正部６０Ｂは、更新処理部６０Ｆによって補正された補正テーブルを用いて、γ補正を行う。
【００６３】
総量規制部６０Ｃは、γ補正された有色画像データ２０および特色画像データ２２を用いて、総量規制処理を行う。ここで、媒体４０上の１画素に相当する領域において、画像形成装置１２で載せることの可能な色材量（トナー量）には限界がある。総量規制とは、媒体４０上の１画素に相当する領域あたりの色材量の総量が、該限界の量以下となるように、有色画像データ２０および特色画像データ２２の各画素値（濃度値）を補正する処理である。
【００６４】
そして、総量規制部６０Ｃは、総量規制した有色画像データ２０（色画像データ２０Ｃ、２０Ｍ、２０Ｙ、２０Ｋ）および特色画像データ２２を、中間調処理部６０Ｄへ出力する。
【００６５】
中間調処理部６０Ｄは、中間調処理を実行する。中間調処理部６０Ｄは、総量規制部６０Ｃから受付けた有色画像データ２０（色画像データ２０Ｃ、２０Ｍ、２０Ｙ、２０Ｋ）と、特色画像データ２２と、について、中間調処理を実行する。
【００６６】
中間調処理は、各画素の画素値を８ｂｉｔで表される０〜２５５の階調値で示した有色画像データ２０（色画像データ２０Ｃ、２０Ｍ、２０Ｙ、２０Ｋ）および特色画像データ２２の各々の画素値を小値化（例えば、２値化）する処理である。中間調処理は、スクリーン処理と称される場合もある。
【００６７】
そして、送信部６０Ｅは、中間調処理部６０Ｄによって中間調処理の施された画像データ２４を、画像形成装置１２へ出力する。
【００６８】
ここで、γ補正部６０Ｂが用いる補正テーブルを記憶した記憶部６２について、説明する。上述したように、記憶部６２は、補正管理ＤＢ６２Ａと、媒体管理ＤＢ６２Ｂと、初期補正テーブル７０Ａと、を記憶する。
【００６９】
補正管理ＤＢ６２Ａは、γ補正部６０Ｂのγ補正時に用いる補正テーブルを管理するためのデータベースである。なお、補正管理ＤＢ６２Ａのデータ形式は、データベースに限定されない。例えば、補正管理ＤＢ６２Ａのデータ形式は、テーブルであってもよい。
【００７０】
図８は、補正管理ＤＢ６２Ａのデータ構成の一例を示す模式図である。補正管理ＤＢ６２Ａは、キャリブレーション条件と、補正チャート用画像データと、目標特性と、補正テーブルと、を対応づけたものである。補正管理ＤＢ６２Ａにおける、キャリブレーション条件、補正チャート用画像データ、目標特性、および補正テーブルは、後述する更新処理部６０Ｆによって登録・更新される。
【００７１】
キャリブレーション条件は、γ補正部６０Ｂによるγ補正時の条件を示す。補正管理ＤＢ６２Ａに登録されているキャリブレーション条件は、画像形成装置１２の現在の設定に応じて規定される。本実施の形態では、キャリブレーション条件は、キャリブレーションＩＤと、媒体ＩＤと、積層順情報と、特色種類情報と、キャリブレーションに特色を用いるか否かを示す情報と、を含む。
【００７２】
キャリブレーションＩＤは、キャリブレーション条件の識別情報である。媒体ＩＤは、媒体４０の媒体情報を識別する識別情報である。媒体情報は、媒体４０を特定するための複数のパラメータによって規定される。例えば、媒体情報は、媒体名、サイズ（幅、高さ）、秤量、カラー、種類、などのパラメータによって規定される。
【００７３】
積層順情報は、媒体４０に対する特色画像５２と有色画像５４との積層順を示す情報である。積層順情報には、媒体上に、特色画像および有色画像をこの順に積層することを示す積層順情報と、媒体上に、有色画像および特色画像をこの順に積層することを示す積層順情報と、がある。
【００７４】
特色種類情報は、画像形成装置１２に搭載されている特色色材の種類を示す情報である。本実施の形態では、特色種類情報は、例えば、白、金、透明（クリア）、または蛍光を示す情報である。
【００７５】
キャリブレーションに特色を用いるか否かは、特色を用いてγ補正を行う事を示す“用いる”または、特色を用いずにγ補正を行う事を示す“用いない”を示す。
【００７６】
次に、補正チャート用画像データについて説明する。補正チャート用画像データは、色値の異なる複数のパッチ領域を規定したデータである。図９は、補正チャート用画像データ７８の一例を示す模式図である。
【００７７】
図９（Ａ）は、補正チャート用画像データ７８の一例である。補正チャート用画像データ７８は、色値の異なる複数のパッチ領域Ｐ’を規定したデータである。パッチ領域Ｐ’は、特色のパッチ領域Ａと有色領域Ｂとの積層領域である。
【００７８】
詳細には、補正チャート用画像データ７８は、複数のパッチ領域ＰＫ’と、複数のパッチ領域ＰＹ’と、複数のパッチ領域ＰＭ’と、複数のパッチ領域ＰＣ’と、を複数のパッチ領域Ｐ’として含む。複数のパッチ領域Ｐ’の各々は、特色のパッチ領域Ａと有色領域Ｂとの積層領域である。
【００７９】
パッチ領域ＰＫ’は、特色のパッチ領域Ａ上にＫ色の有色領域Ｂを積層した領域である。複数のパッチ領域ＰＫ’のＫ色の濃度値は、互いに異なる濃度値である。パッチ領域ＰＹ’は、特色のパッチ領域Ａ上にＹ色の有色領域Ｂを積層した領域である。複数のパッチ領域ＰＹ’のＹ色の濃度値は、互いに異なる濃度値である。パッチ領域ＰＭ’は、特色のパッチ領域Ａ上にＭ色の有色領域Ｂを積層した領域である。複数のパッチ領域ＰＭ’のＭ色の濃度値は、互いに異なる濃度値である。パッチ領域ＰＣ’は、特色のパッチ領域Ａ上にＣ色の有色領域Ｂを積層した領域である。複数のパッチ領域ＰＣ’のＣ色の濃度値は、互いに異なる濃度値である。
【００８０】
パッチ領域Ｐ’の各々が積層領域であることから、具体的には、補正チャート用画像データ７８は、特色補正チャート用画像データ７６と、有色補正チャート用画像データ７７と、から構成される。特色補正チャート用画像データ７６は、図９（Ｂ）に示すように、特色色材による特色のパッチ領域Ａの特色色値を規定したデータである。本実施の形態では、特色のパッチ領域Ａは、ベタ画像（１００％の濃度）の領域として示される場合を説明する。
【００８１】
なお、記憶部６２には、特色種類情報ごとに、特色種類情報に対応する特色補正チャート用画像データ７６が予め記憶されている。例えば、記憶部６２は、特色種類情報“白”に対応する、白色の特色のパッチ領域Ａの特色色値（白濃度値）を規定した特色補正チャート用画像データ７６を予め記憶する。また、記憶部６２は、特色種類情報“金”対応する、金色の特色のパッチ領域Ａの特色色値（金濃度値）を規定した特色補正チャート用画像データ７６を予め記憶する。記憶部６２は、特色種類情報“透明”対応する、透明の特色のパッチ領域Ａの特色色値（濃度値）を規定した特色補正チャート用画像データ７６を予め記憶する。また、記憶部６２は、特色種類情報“蛍光”に対応する、蛍光の特色のパッチ領域Ａの特色色値（蛍光濃度値）を規定した特色補正チャート用画像データ７６を予め記憶する。
【００８２】
一方、有色補正チャート用画像データ７７は、図９（Ａ）に示すように、有色色材による有色領域Ｂの有色色値を規定したデータである。有色補正チャート用画像データ７７は、Ｋ色、Ｙ色、Ｍ色、Ｃ色の各々の濃度値の異なる複数の有色領域Ｂを規定したものである。
【００８３】
図８に戻り説明を続ける。補正管理ＤＢ６２Ａには、キャリブレーション条件に対応する補正チャート用画像データ７８が登録される。キャリブレーション条件に対応する補正チャート用画像データ７８は、後述する更新処理部６０Ｆによって補正管理ＤＢ６２Ａに登録される。
【００８４】
目標特性は、更新処理部６０Ｆが補正テーブルを補正するときの、目標となる特性を示す。詳細は後述するが、本実施の形態では、更新処理部６０Ｆは、初期補正テーブル７０Ａを補正することで、キャリブレーション条件に対応する補正テーブルを生成する。目標特性は、この初期補正テーブル７０Ａを補正するときの、目標となる特性を示す。目標特性は、補正ターゲットと称する場合がある。目標特性については、詳細を後述する。
【００８５】
補正テーブルは、γ補正に用いるγ補正テーブルである。補正管理ＤＢ６２Ａには、例えば、予め初期補正テーブル７０Ａが登録されている。初期補正テーブル７０Ａは、γ補正に用いるγ補正テーブルである。更新処理部６０Ｆは、目標特性を用いて、初期補正テーブル７０Ａを補正することで、キャリブレーション条件に対応する補正テーブルを生成する。例えば、補正管理ＤＢ６２Ａには、後述する更新処理部６０Ｆの処理によって、キャリブレーション条件の各々に対応する補正テーブル（図８では、Ｄ１〜Ｄ４）が登録される。更新処理部６０Ｆの処理は、後述する。
【００８６】
次に、媒体管理ＤＢ６２Ｂについて説明する。図１０は、媒体管理ＤＢ６２Ｂのデータ構成の一例を示す模式図である。媒体管理ＤＢ６２Ｂは、媒体ＩＤと、媒体情報と、を対応づけたものである。媒体管理ＤＢ６２Ｂのデータ形式は限定されない。媒体管理ＤＢ６２Ｂは、例えば、データベースであってもよいし、テーブルであってもよい。本実施の形態では、記憶部６２には、媒体管理ＤＢ６２Ｂが予め登録されているものとする。
【００８７】
図７に戻り、説明を続ける。次に、更新処理部６０Ｆについて説明する。
【００８８】
更新処理部６０Ｆは、γ補正に用いる補正テーブルを生成する機能部である。
【００８９】
更新処理部６０Ｆは、ＵＩ制御部６０Ｇと、取得部６０Ｈと、決定部６０Ｉと、特定部６０Ｊと、生成部６０Ｋと、更新部６０Ｌと、を含む。
【００９０】
まず、取得部６０Ｈについて説明する。
【００９１】
取得部６０Ｈは、特色種類情報を取得する。本実施の形態では、取得部６０Ｈは、画像形成装置１２から、特色種類情報を取得する。画像形成装置１２は、取得部６０Ｈから特色種類情報の取得要求を受付けると、画像形成装置１２に現在搭載されている特色色材の種類を示す特色種類情報を、情報処理装置１０へ送信する。
【００９２】
例えば、画像形成装置１２に搭載されている特色色材を貯留した貯留部に、該特色色材の種類を示す特色種類情報を記憶するメモリが搭載されているものとする。この場合、画像形成装置１２は、該メモリから特色種類情報を読取り、情報処理装置１０へ送信すればよい。なお、画像形成装置１２を操作するユーザが、該画像形成装置１２に搭載されている特色色材の特色種類情報を入力することで、該画像形成装置１２のメモリに特色種類情報を記憶してもよい。そして、画像形成装置１２は、情報処理装置１０から特色種類情報の取得要求を受信すると、記憶部６２から特色種類情報を読取り、情報処理装置１０へ送信すればよい。
【００９３】
このようにして、取得部６０Ｈは、画像形成装置１２に現在搭載されている特色色材の、特色種類情報を取得する。
【００９４】
また、取得部６０Ｈは、積層順情報を取得する。本実施の形態では、取得部６０Ｈは、画像形成装置１２から積層順情報を取得する。積層順情報は、画像形成装置１２の現在の構成によって形成される積層画像５０における、媒体４０に対する特色画像５２と有色画像５４との積層順を示す情報である。
【００９５】
例えば、画像形成装置１２は、有色画像形成ユニット３２と特色画像形成ユニット３３との位置が、媒体４０に対して特色画像５２および有色画像５４の積層順の積層画像５０を形成する位置関係にあるか、媒体４０に対して有色画像５４および特色画像５２の積層順の積層画像５０を形成する位置関係にあるか、を特定する。
【００９６】
具体的には、有色画像形成ユニット３２と特色画像形成ユニット３３との各々の位置を識別するためのセンサを、画像形成装置１２の本体部３０に配置する。そして、画像形成装置１２は、該センサからの検出信号を用いて、有色画像形成ユニット３２と特色画像形成ユニット３３との位置関係を特定することで、積層順情報を特定する。そして、画像形成装置１２は、情報処理装置１０から積層順情報の取得要求を受付けた場合に、積層順情報を情報処理装置１０へ送信すればよい。これによって、取得部６０Ｈは、画像形成装置１２から積層順情報を取得する。
【００９７】
また、取得部６０Ｈは、媒体ＩＤを取得する。本実施の形態では、取得部６０Ｈは、画像形成装置１２から媒体ＩＤを取得する。例えば、画像形成装置１２は、給紙トレイ３７に貯留されている媒体４０の媒体ＩＤを特定する。例えば、画像形成装置１２は、ユーザによるパネル操作部３１の操作によって入力された媒体ＩＤを特定する。なお、画像形成装置１２は、給紙トレイ３７に貯留されている媒体４０を公知の方法で検出することで、該媒体４０の媒体ＩＤを特定してもよい。そして、画像形成装置１２は、特定した媒体ＩＤを、情報処理装置１０へ送信する。これによって、情報処理装置１０の取得部６０Ｈは、画像形成装置１２から、媒体ＩＤを取得する。
【００９８】
そして、取得部６０Ｈは、取得した、媒体ＩＤと、積層順情報と、特色種類情報と、を新たなキャリブレーション条件として、補正管理ＤＢ６２Ａに対応付けて登録する（図８参照）。
【００９９】
ここで、図８を用いて説明したように、キャリブレーション条件は、キャリブレーションに特色を用いるか否かを示す情報を更に含んでいてもよい。この情報は、ユーザによる操作指示によって更新される。
【０１００】
例えば、ＵＩ制御部６０Ｇは、キャリブレーション条件を示す表示画面をＵＩ部６４に表示する。図１１は、キャリブレーション条件表示画面８０の一例である。
【０１０１】
図１１に示すように、キャリブレーション条件表示画面８０は、媒体情報表示領域８０Ａと、選択ウィンドウ８０Ｂと、実行ボタン８０Ｃと、を含む。
【０１０２】
媒体情報表示領域８０Ａは、キャリブレーションに用いる対象の媒体４０の媒体情報を表示する領域である。ＵＩ制御部６０Ｇは、取得部６０Ｈで取得した媒体ＩＤに対応する媒体情報を媒体管理ＤＢ６２Ｂから読取り、媒体情報表示領域８０Ａに表示する。なお、キャリブレーション条件表示画面８０は、取得部６０Ｈで取得した積層順情報および特色種類情報の少なくとも一方を更に含んでいてもよい。
【０１０３】
選択ウィンドウ８０Ｂは、キャリブレーションに特色を用いるか否かを選択するためのウィンドウである。ユーザは、ＵＩ部６４を用いて、選択ウィンドウ８０Ｂを操作することで、キャリブレーションに特色を用いるか否かを入力する。
【０１０４】
実行ボタン８０Ｃは、キャリブレーション条件表示画面８０に表示されている内容でキャリブレーションの実行を指示するときに、ユーザによって操作される。ユーザによって、実行ボタン８０Ｃが操作されると、ＵＩ制御部６０Ｇは、キャリブレーション条件表示画面８０を介して入力された、キャリブレーションに特色を用いるか否かを示す情報を、取得部６０Ｈへ出力する。
【０１０５】
これによって、取得部６０Ｈは、キャリブレーションに特色を用いるか否かを示す情報を取得し、補正管理ＤＢ６２Ａに登録する。
【０１０６】
図７に戻り説明を続ける。決定部６０Ｉは、取得部６０Ｈで取得した特色種類情報に応じた、補正チャート用画像データ７８を決定する。
【０１０７】
詳細には、決定部６０Ｉは、取得部６０Ｈで取得した特色種類情報に対応する特色補正チャート用画像データ７６を、記憶部６２から読取ることで、補正チャート用画像データ７８を決定する。具体的には、例えば、特色種類情報が白色を示す情報である場合、決定部６０Ｉは、特色種類情報“白”に対応する、白色の特色のパッチ領域Ａの特色色値（白濃度値）を規定した特色補正チャート用画像データ７６を、記憶部６２から読取る。
【０１０８】
なお、記憶部６２には、１種類の有色補正チャート用画像データ７７（図９（Ａ）参照）が予め記憶されている。このため、決定部６０Ｉは、記憶部６２から有色補正チャート用画像データ７７を読取る。
【０１０９】
これによって、決定部６０Ｉは、取得部６０Ｈで取得した特色種類情報に対応する特色補正チャート用画像データ７６と、有色補正チャート用画像データ７７と、を含む補正チャート用画像データ７８を決定する。
【０１１０】
ここで、取得部６０Ｈが、キャリブレーション条件表示画面８０を介してユーザから、キャリブレーションに特色を用いないことを示す情報を取得する場合がある。この場合、決定部６０Ｉは、記憶部６２から有色補正チャート用画像データ７７のみを読取ることで、補正チャート用画像データ７８を決定すればよい。
【０１１１】
次に、特定部６０Ｊについて説明する。
【０１１２】
特定部６０Ｊは、決定部６０Ｉで決定した補正チャート用画像データ７８を用いて、目標特性を特定する。
【０１１３】
目標特性は、補正チャート用画像データ７８を用いて画像形成装置１２によって２パス印刷で形成された第１パッチ画像Ｐ１の第１測色値と、該補正チャート用画像データ７８の色値と、の関係を示す。該関係は、線図や関数で表される。本実施の形態では、目標特性は、線図で表される場合を説明する。また、目標特性に用いる、補正チャート用画像データ７８の色値は、具体的には、補正チャート用画像データ７８に含まれる有色補正チャート用画像データ７７の有色色値である。
【０１１４】
図１２（Ａ）および図１２（Ｂ）は、補正チャート用画像データ７８を用いて２パス印刷で形成された第１パッチ画像Ｐ１の一例の説明図である。
【０１１５】
例えば、取得部６０Ｈで取得した積層順情報が、媒体４０上に、特色画像５２および有色画像５４を、この順に積層することを示すものであったと仮定する。そして、決定部６０Ｉが、特色補正チャート用画像データ７６と有色補正チャート用画像データ７７を、補正チャート用画像データ７８として決定したと仮定する。
【０１１６】
この場合、特定部６０Ｊは、決定した該特色補正チャート用画像データ７６を画像形成装置１２へ送信する。画像形成装置１２は、受信した特色補正チャート用画像データ７６を用いて、該特色補正チャート用画像データ７６に示される特色のパッチ領域Ａに対応する特色画像５２を媒体４０へ形成し、定着させる（１パス目）（図１２（Ａ）参照）。ユーザは、特色画像５２の定着された媒体４０を画像形成装置１２の給紙トレイ３７へ再度セットする。
【０１１７】
次に、特定部６０Ｊは、決定した有色補正チャート用画像データ７７を画像形成装置１２へ送信する。画像形成装置１２は、受信した有色補正チャート用画像データ７７を用いて、該有色補正チャート用画像データ７７に示される有色領域Ｂに対応する有色画像５４を、媒体４０上の特色画像５２上に形成し、定着させる（２パス目）（図１２（Ｂ）参照）。これによって、決定部６０Iで決定された補正チャート用画像データ７８に応じた積層画像５０が、２パス印刷によって、媒体４０上に形成される。
【０１１８】
２パス印刷によって、媒体４０には、補正チャート用画像データ７８に示されるパッチ領域Ｐ’の各々に対応する、積層画像５０としての第１パッチ画像Ｐ１が形成された状態となる（図１２（Ｂ）参照）。
【０１１９】
測色器１４は、この第１パッチ画像Ｐ１の各々を測色し、第１測色値を得る。そして、測色器１４は、複数の第１パッチ画像Ｐ１の各々の第１測色値を、ホストコンピュータ１６を介して情報処理装置１０へ出力する。
【０１２０】
そして、情報処理装置１０の特定部６０Ｊは、決定部６０Ｉで決定した補正チャート用画像データ７８に示される、複数のパッチ領域Ｐ’の各々の示す有色色値と、複数のパッチ領域Ｐ’の各々に対応する第１パッチ画像Ｐ１の第１測色値と、の関係を示す目標特性を特定する。
【０１２１】
図１３は、目標特性７２と実測特性７４の関係の一例を示す線図である。特定部６０Ｊは、例えば、図１３に示す目標特性７２を特定する。特定部６０Ｊは、色値（有色色値）と、測色値（第１測色値）と、の関係を示す目標特性７２を特定する。
【０１２２】
図７に戻り説明を続ける。次に、生成部６０Ｋについて説明する。生成部６０Ｋは、決定部６０Ｉで決定した補正チャート用画像データ７８を用いて、補正テーブルを生成する。
【０１２３】
詳細には、まず、生成部６０Ｋは、決定部６０Ｉで決定した補正チャート用画像データ７８を用いて、実測特性を決定する。
【０１２４】
実測特性は、決定部６０Ｉで決定された補正チャート用画像データ７８を用いて画像形成装置１２によって１パス印刷で形成された、第２パッチ画像Ｐ２の第２測色値と、該補正チャート用画像データ７８の色値と、の関係を示す。該関係は、線図や関数で表される。本実施の形態では、実測特性は、線図で表される場合を説明する。また、実測特性に用いる、補正チャート用画像データ７８の色値は、具体的には、補正チャート用画像データ７８に含まれる有色補正チャート用画像データ７７の有色色値である。
【０１２５】
図１２（Ｃ）は、補正チャート用画像データ７８を用いて１パス印刷で形成された第２パッチ画像Ｐ２の一例の説明図である。
【０１２６】
例えば、取得部６０Ｈで取得した積層順情報が、媒体４０上に、特色画像５２および有色画像５４を、この順に積層することを示すものであったと仮定する。そして、決定部６０Ｉが、特色補正チャート用画像データ７６と有色補正チャート用画像データ７７を、補正チャート用画像データ７８として決定したと仮定する。
【０１２７】
この場合、決定部６０Ｉは、決定した補正チャート用画像データ７８（特色補正チャート用画像データ７６、有色補正チャート用画像データ７７）を画像形成装置１２へ送信する。画像形成装置１２は、受信した補正チャート用画像データ７８に含まれる特色補正チャート用画像データ７６を用いて、特色のパッチ領域Ａに対応する特色画像５２を媒体４０へ形成した後に、定着を介さずに、有色補正チャート用画像データ７７を用いて有色領域Ｂに対応する有色画像５４を特色画像５２上に形成し、定着する（図１２（Ｃ）参照）。これによって、決定部６０Ｉで決定された補正チャート用画像データ７８に応じた積層画像５０が、１パス印刷によって、媒体４０上に形成される。
【０１２８】
１パス印刷によって、媒体４０には、補正チャート用画像データ７８に示されるパッチ領域Ｐ’の各々に対応する、積層画像５０としての第２パッチ画像Ｐ２が形成された状態となる（図１２（Ｃ）参照）。
【０１２９】
測色器１４は、この第２パッチ画像Ｐ２の各々を測色し、第２測色値を得る。そして、測色器１４は、複数の第２パッチ画像Ｐ２の各々の第２測色値を、ホストコンピュータ１６を介して情報処理装置１０へ出力する。
【０１３０】
そして、情報処理装置１０の生成部６０Ｋは、決定部６０Ｉで決定した補正チャート用画像データ７８に示される、複数のパッチ領域Ｐ’の各々の示す有色色値と、複数のパッチ領域Ｐ’の各々に対応する第２パッチ画像Ｐ２の第２測色値と、の関係を示す実測特性を特定する。
【０１３１】
例えば、生成部６０Ｋは、図１３に示す実測特性７４を特定する。生成部６０Ｋは、色値（有色色値）と、測色値（第２測色値）と、の関係を示す実測特性７４を特定する。
【０１３２】
なお、目標特性７２および実測特性７４の特定に用いた、第１パッチ画像Ｐ１の形成および第２パッチ画像Ｐ２の形成時には、画像形成装置１２は、取得部６０Ｈで取得したキャリブレーション条件に示される状態にある。すなわち、画像形成装置１２には、取得部６０Ｈで取得したキャリブレーション条件に示される、媒体ＩＤによって識別される媒体４０と、特色種類情報によって示される種類の特色色材と、が搭載され、該キャリブレーション条件に含まれる積層順情報によって示される積層順で積層画像５０を形成可能な状態にある。
【０１３３】
このため、特定部６０Ｊが特定した目標特性７２と、生成部６０Ｋが特定した実測特性７４とは、同じ補正チャート用画像データ７８を用いて、同じキャリブレーション条件の画像形成装置１２で形成した、積層画像５０から得られた特性である。そして、特定部６０Ｊが特定した目標特性７２は１パス印刷で形成した積層画像５０から得られた特性であるのに対し、生成部６０Ｋが特定した実測特性７４は２パス印刷で形成した積層画像５０から得られた特性である点が、相違する。
【０１３４】
そして、生成部６０Ｋは、実測特性７４が目標特性７２に近づくように、有色画像データ２０に規定された色値を補正するための、補正テーブルを生成する。なお、生成部６０Ｋは、実測特性７４が目標特性７２に一致するように、該色値を補正するための補正テーブルを生成することが好ましい。
【０１３５】
図１４は、生成部６０Ｋによる補正テーブル生成の一例を示す模式図である。本実施の形態では、生成部６０Ｋは、記憶部６２に予め記憶されている初期補正テーブル７０Ａを補正することで、補正テーブル７０Ｂを生成する。
【０１３６】
詳細には、生成部６０Ｋは、目標特性７２における色値を入力色値とし、実測特性７４における、目標特性７２の第１測色値を示す第２測色値に対応する色値を出力色値とした、補正テーブル７０Ｂを生成する。
【０１３７】
具体的には、図１３に示すように、生成部６０Ｋは、目標特性７２における色値ｂに対応する第１測色値ａと同じ値の第２測色値ａ’に対応する、実測特性７４における色値ｂ’を特定する。そして、図１３および図１４に示すように、生成部６０Ｋは、目標特性７２における色値ｂを入力色値とし、実測特性７４における色値ｂ’を出力色値とした、補正テーブル７０Ｂを生成する。
【０１３８】
本実施の形態では、生成部６０Ｋは、図１３に示す実測特性７４が目標特性７２に近づくように、色値（有色色値）を補正するための補正テーブル７０Ｂ（図１４参照）を、初期補正テーブル７０Ａを補正することによって生成する。
【０１３９】
なお、初期補正テーブル７０Ａおよび補正テーブル７０Ｂは、有色画像データ２０に示される色値（有色色値、すなわち、有色の濃度値）を入力色値とし、補正後の色値を出力色値としたテーブルである。
【０１４０】
すなわち、生成部６０Ｋは、１パス印刷によって、２パス印刷によって形成される積層画像５０と同様な程度の画質を実現するために、有色画像データ２０の色値（有色色値、有色の濃度値）を補正するための、補正テーブル７０Ｂを生成する。
【０１４１】
更新部６０Ｌは、生成部６０Ｋで生成された補正テーブル７０Ｂを、取得部６０Ｈで取得したキャリブレーション条件に対応づけて、補正管理ＤＢ６２Ａに登録する。これによって、更新部６０Ｌは、初期補正テーブル７０Ａを補正テーブル７０Ｂに更新する。
【０１４２】
このため、記憶部６２には、キャリブレーション条件に対応する補正テーブル７０Ｂが登録される。
【０１４３】
そして、上述したγ補正部６０Ｂでは、ホストコンピュータ１６から色変換処理部６０Ａを介して受付けた、画像データ２４に含まれるＣＭＹＫの各々の色の有色画像データ２０（色画像データ２０Ｃ、２０Ｍ、２０Ｙ、２０Ｋ）に対して、補正テーブル７０Ｂを用いてγ補正を行う。このとき、γ補正部６０Ｂは、取得部６０Ｈと同様にしてキャリブレーション条件を取得し、現在の画像形成装置１２の設定に応じたキャリブレーション条件に対応する補正テーブル７０Ｂを用いて、γ補正を行う。そして、送信部６０Ｅは、γ補正部６０Ｂによってγ補正され、総量規制部６０Ｃおよび中間調処理部６０Ｄによって処理された後の画像データ２４を、画像形成装置１２へ出力する。
【０１４４】
次に、情報処理装置１０の制御部６０で実行する、補正テーブル更新時の情報処理の手順の一例を説明する。
【０１４５】
図１５は、情報処理装置１０の制御部６０で実行する、補正テーブル更新時の情報処理の手順の一例を示す、フローチャートである。
【０１４６】
まず、取得部６０Ｈが、積層順情報と、特色種類情報と、媒体ＩＤと、を画像形成装置１２から取得する（ステップＳ１００）。
【０１４７】
次に、取得部６０Ｈは、ステップＳ１００で取得した媒体ＩＤに対応する媒体情報を、媒体管理ＤＢ６２Ｂから読取る（ステップＳ１０２）。次に、取得部６０Ｈは、ステップＳ１０２で読取った媒体情報を含むキャリブレーション条件表示画面８０を、ＵＩ部６４へ表示する（ステップＳ１０４）（図１１参照）。
【０１４８】
ユーザは、キャリブレーション条件表示画面８０を参照し、選択ウィンドウ８０Ｂを操作することで、キャリブレーションに特色を用いるか否かを示す情報を入力する。そして、実行ボタン８０Ｃを操作する。
【０１４９】
次に、取得部６０Ｈは、実行指示を受付けたと判断するまで（ステップＳ１０６：Ｙｅｓ）、否定判断を繰返す（ステップＳ１０６：Ｎｏ）。取得部６０Ｈは、実行ボタン８０Ｃが操作されたか否かを判別することで、ステップＳ１０６の判断を行う。ステップＳ１０６で肯定判断すると（ステップＳ１０６：Ｙｅｓ）、ステップＳ１０８へ進む。
【０１５０】
次に、決定部６０Ｉが、ステップＳ１００で取得した積層順情報によって示される積層順が、媒体４０上に、特色画像５２、有色画像５４、の積層順であるか否かを判別する（ステップＳ１０８）。
【０１５１】
ステップＳ１０８で肯定判断すると（ステップＳ１０８：Ｙｅｓ）、ステップＳ１１０へ進む。ステップＳ１１０では、決定部６０Ｉが、キャリブレーションに特色を用いるか否かを判断する（ステップＳ１１０）。ステップＳ１１０で肯定判断すると（ステップＳ１１０：Ｙｅｓ）、ステップＳ１１２へ進む。ステップＳ１１２では、決定部６０Ｉが、有色補正チャート用画像データ７７および特色補正チャート用画像データ７６を、補正チャート用画像データ７８として決定する（ステップＳ１１２）。このとき、決定部６０Ｉは、ステップＳ１００で取得した特色種類情報に対応する特色補正チャート用画像データ７６を決定する。
【０１５２】
そして、決定部６０Ｉは、ステップＳ１００で取得した積層順情報、特色種類情報、媒体ＩＤ、および、キャリブレーションに特色を“用いる”事を示す情報と、ステップＳ１１２で決定した補正チャート用画像データ７８と、を対応づけて、補正管理ＤＢ６２Ａへ記憶する（ステップＳ１１４）。そして、ステップＳ１２０へ進む。
【０１５３】
一方、上記ステップＳ１０８で否定判断した場合（ステップＳ１０８：Ｎｏ）、ステップＳ１１６へ進む。また、ステップＳ１１０で否定判断した場合（ステップＳ１１０：Ｎｏ）、ステップＳ１１６へ進む。
【０１５４】
ステップＳ１１６では、決定部６０Ｉが、有色補正チャート用画像データ７７を、補正チャート用画像データ７８として決定する（ステップＳ１１６）。
【０１５５】
そして、決定部６０Ｉは、ステップＳ１００で取得した積層順情報、特色種類情報、媒体ＩＤ、および、ステップＳ１１０の判定結果（キャリブレーションに特色を“用いない”）を示す情報と、ステップＳ１１６で決定した補正チャート用画像データ７８と、を対応づけて、補正管理ＤＢ６２Ａへ記憶する（ステップＳ１１８）。そして、ステップＳ１２０へ進む。
【０１５６】
ステップＳ１２０では、決定部６０Ｉが、ステップＳ１１２で決定した特色補正チャート用画像データ７６を、画像形成装置１２へ送信する（ステップＳ１２０）。画像形成装置１２は、受信した特色補正チャート用画像データ７６を用いて、該特色補正チャート用画像データ７６に示される特色のパッチ領域Ａに対応する特色画像５２を媒体４０へ形成し、定着させる（１パス目）（図１２（Ａ）参照）。ユーザは、特色画像５２の定着された媒体４０を画像形成装置１２の給紙トレイ３７へ再度セットする。該媒体４０への画像形成が終了すると、画像形成装置１２は、画像形成完了信号を情報処理装置１０へ出力する。
【０１５７】
情報処理装置１０の決定部６０Ｉは、画像形成完了信号を受信したと判断（ステップＳ１２２：Ｙｅｓ）するまで、否定判断（ステップＳ１２２：Ｎｏ）を繰返す。そして、ステップＳ１２２で肯定判断すると（ステップＳ１２２：Ｙｅｓ）、ステップＳ１２４へ進む。
【０１５８】
ステップＳ１２４では、決定部６０Ｉが、ステップＳ１１２またはステップＳ１１６で決定した有色補正チャート用画像データ７７を、画像形成装置１２へ送信する（ステップＳ１２４）。画像形成装置１２は、受信した有色補正チャート用画像データ７７を用いて、該有色補正チャート用画像データ７７に示される有色領域Ｂに対応する有色画像５４を、媒体４０上の特色画像５２上に形成し、定着させる（２パス目）（図１２（Ｂ）参照）。
【０１５９】
ステップＳ１２０〜ステップＳ１２４の処理によって、ステップＳ１１２またはステップＳ１１６で決定された補正チャート用画像データ７８に応じた積層画像５０が、２パス印刷によって、媒体４０上に形成される。なお、ステップＳ１１６では、有色補正チャート用画像データ７７のみを補正チャート用画像データ７８として決定することから、この場合は、媒体４０上に、有色画像５４のみ形成されることとなる。
【０１６０】
次に、特定部６０Ｊが、ステップＳ１２０〜ステップＳ１２４の処理によって２パス印刷により媒体４０に形成された積層画像５０としての第１パッチ画像Ｐ１（図１２（Ｂ）参照）の各々の、第１測色値を、測色器１４から取得する（ステップＳ１２６）。
【０１６１】
そして、特定部６０Ｊは、ステップＳ１１２またはステップＳ１１６で決定した有色補正チャート用画像データ７７に示される、複数のパッチ領域Ｐ’の各々の示す有色色値と、複数のパッチ領域Ｐ’の各々に対応する第１パッチ画像Ｐ１の第１測色値と、の関係を示す目標特性７２を特定する（ステップＳ１２８）。ステップＳ１２８の処理によって、例えば、図１３に示す目標特性７２が特定される。
【０１６２】
そして、特定部６０Ｊは、ステップＳ１００で取得したキャリブレーション条件（積層順情報、特色種類情報、媒体ＩＤ）に対応付けて、ステップＳ１２８で特定した目標特性７２を補正管理ＤＢ６２Ａへ記憶する（ステップＳ１３０）。
【０１６３】
次に、生成部６０Ｋは、ステップＳ１１２またはステップＳ１１６で決定した補正チャート用画像データ７８を、画像形成装置１２へ送信する（ステップＳ１３２）。
【０１６４】
画像形成装置１２は、受信した補正チャート用画像データ７８に含まれる特色補正チャート用画像データ７６を用いて、特色のパッチ領域Ａに対応する特色画像５２を媒体４０へ形成した後に、定着を介さずに、有色補正チャート用画像データ７７を用いて有色領域Ｂに対応する有色画像５４を特色画像５２上に形成し、定着する（図１２（Ｃ）参照）。これによって、決定部６０Ｉで決定された補正チャート用画像データ７８に応じた積層画像５０が、１パス印刷によって、媒体４０上に形成される。該媒体４０への画像形成が終了すると、画像形成装置１２は、画像形成完了信号を情報処理装置１０へ送信する。
【０１６５】
情報処理装置１０の生成部６０Ｋは、画像形成装置１２から画像形成完了信号を受信したと判断するまで（ステップＳ１３４：Ｙｅｓ）、否定判断を繰返す（ステップＳ１３４：Ｎｏ）。ステップＳ１３４で肯定判断すると（ステップＳ１３４：Ｙｅｓ）、ステップＳ１３６へ進む。
【０１６６】
ステップＳ１３６では、生成部６０Ｋが、ステップ１３２〜ステップＳ１３４の処理によって、１パス印刷で媒体４０に形成された積層画像５０としての第２パッチ画像Ｐ２（図１２（Ｃ）参照）の各々の、第２測色値を、測色器１４から取得する（ステップＳ１３６）。
【０１６７】
そして、生成部６０Ｋは、ステップＳ１１２またはステップＳ１１６で決定した補正チャート用画像データ７８（有色補正チャート用画像データ７７）に示される、複数のパッチ領域Ｐ’の各々の示す有色色値と、複数のパッチ領域Ｐ’の各々に対応する第２パッチ画像Ｐ２の第２測色値と、の関係を示す実測特性７４を特定する（ステップＳ１３８）（図１３参照）。
【０１６８】
そして、生成部６０Ｋは、ステップＳ１３８で特定した実測特性７４が、ステップＳ１２８で特定した目標特性７２に近づくように、色値を補正するための、補正テーブル７０Ｂを生成する（ステップＳ１４０）。
【０１６９】
次に、更新部６０Ｌは、更新ＯＫを示す更新ＯＫ信号を取得したと判断するまで（ステップＳ１４２：Ｙｅｓ）、否定判断を繰返す（ステップＳ１４２：Ｎｏ）。例えば、更新部６０Ｌは、ユーザによるＵＩ部６４の操作によって、更新ＯＫを示すボタン画像が操作されたときに、ＵＩ部６４から更新ＯＫ信号を受付ける。そして、更新部６０Ｌは、更新ＯＫ信号をＵＩ部６４から受付けたか否かを判別することで、ステップＳ１４２の判断を行う。
【０１７０】
ステップＳ１４２で肯定判断すると（ステップＳ１４２：Ｙｅｓ）、ステップ１４４へ進む。ステップＳ１４４では、ステップＳ１００で取得したキャリブレーション条件に対応づけて、ステップＳ１４０で生成した補正テーブル７０Ｂを補正管理ＤＢ６２Ａへ登録する。これによって、更新部６０Ｌは、補正テーブルを更新する。そして、本ルーチンを終了する。
【０１７１】
次に、ホストコンピュータ１６から画像データ２４を受信したときに、情報処理装置１０によって実行される情報処理の手順の一例を説明する。図１６は、画像データ２４を受信したときに実行される情報処理の手順の一例を示す、フローチャートである。
【０１７２】
まず、色変換処理部６０Ａが、ホストコンピュータ１６から画像データ２４を取得する（ステップＳ２００）。次に、色変換処理部６０Ａは、ステップＳ２００で取得した画像データ２４に含まれる有色画像データ２０について、色変換処理を行う（ステップＳ２０２）。
【０１７３】
次に、γ補正部６０Ｂが、キャリブレーション条件を取得する（ステップＳ２０４）。例えば、γ補正部６０Ｂは、画像形成装置１２から、積層順情報、特色種類情報、および、媒体ＩＤを、キャリブレーション条件として取得する。なおこのとき、γ補正部６０Ｂは、キャリブレーションに特色を用いるか否かを示す情報を、画像形成装置１２から取得してもよい。また、γ補正部６０Ｂは、ＵＩ部６４から、キャリブレーションに特色を用いるか否かを示す情報を取得してもよい。
【０１７４】
次に、γ補正部６０Ｂは、補正管理ＤＢ６２Ａにおける、ステップＳ２０４で取得したキャリブレーション条件に対応する補正テーブル７０Ｂを用いて、ステップＳ２０２で色変換した有色画像データ２０の色値を補正（γ補正）する（ステップＳ２０６）。
【０１７５】
次に、総量規制部６０Ｃが、ステップＳ２０６でγ補正された有色画像データ２０と、ステップＳ２００で取得した画像データ２４に含まれる特色画像データ２２と、を用いて、総量規制処理を行う（ステップＳ２０８）。
【０１７６】
次に、中間調処理部６０Ｄが、ステップＳ２０８で総量規制処理された、有色画像データ２０（色画像データ２０Ｃ、２０Ｍ、２０Ｙ、２０Ｋ）と、特色画像データ２２と、について、中間調処理を実行する（ステップＳ２１０）。そして、送信部６０Ｅは、中間調処理部６０Ｄによって中間調処理の施された画像データ２４（有色画像データ２０、特色画像データ２２）を、画像形成装置１２へ送信する（ステップＳ２１２）。そして、本ルーチンを終了する。
【０１７７】
以上説明したように、本実施の形態の情報処理装置１０は、画像形成装置１２（画像形成部）を制御する。画像形成装置１２は、特色色材による特色画像５２と、有色色材による有色画像５４と、の積層画像５０を、２パス印刷または１パス印刷により形成する。２パス印刷は、特色画像５２および有色画像５４の一方を媒体４０に形成して固定化した後に、他方を積層して形成する。１パス印刷は、特色画像５２および有色画像５４の一方を媒体４０に形成した後に固定化を介さずに他方を積層して形成する。
【０１７８】
情報処理装置１０は、特定部６０Ｊと、生成部６０Ｋと、を備える。特定部６０Ｊは、色値の異なる複数のパッチ領域Ｐ’を規定した補正チャート用画像データ７８を用いて、画像形成装置１２によって２パス印刷で形成された、パッチ領域Ｐ’の各々に対応する積層画像５０としての第１パッチ画像Ｐ１の第１測色値と色値との関係を示す目標特性７２を特定する。生成部６０Ｋは、補正チャート用画像データ７８を用いて、画像形成装置１２によって１パス印刷で形成された、パッチ領域Ｐ’の各々に対応する積層画像５０としての第２パッチ画像Ｐ２の第２測色値と色値との関係を示す実測特性７４が、目標特性７２に近づくように、色値を補正するための補正テーブルを生成する。
【０１７９】
このように、本実施の形態の情報処理装置１０では、補正チャート用画像データ７８を用いて、１パス印刷で形成された第２パッチ画像Ｐ２の第２測色値と色値との関係を示す実測特性７４が、該補正チャート用画像データ７８を用いて２パス印刷で形成された第１パッチ画像Ｐ１の第１測色値と色値との関係を示す目標特性７２に近づくように、色値を補正するための補正テーブル７０Ｂを生成する。すなわち、情報処理装置１０は、１パス印刷で、２パス印刷によって形成される積層画像５０と同様な程度の画質を実現するために画像データの色値（有色色値、有色の濃度値）を補正するための、補正テーブル７０Ｂを生成する。
【０１８０】
そして、画像形成装置１２では、この補正テーブル７０Ｂを用いて色値を補正された画像データを用いて、媒体４０に１パス印刷により積層画像５０を形成することで、２パス印刷と同等の画質の積層画像５０を、１パス印刷で形成することができる。
【０１８１】
従って、本実施の形態の情報処理装置１０では、特色画像５２と有色画像５４との積層画像５０の画質向上を図ることができる。
【０１８２】
言い換えると、本実施の形態の情報処理装置１０では、１パス印刷により形成される積層画像５０の画質向上を実現可能な、補正テーブル７０Ｂを提供することができる。
【０１８３】
また、取得部６０Ｈは、画像形成に用いる特色色材の種類を示す特色種類情報を取得する。決定部６０Ｉは、特色種類情報に応じた補正チャート用画像データ７８を決定する。特定部６０Ｊは、決定された補正チャート用画像データ７８を用いて目標特性７２を決定する。生成部６０Ｋは、決定された補正チャート用画像データ７８を用いて補正テーブル７０Ｂを生成する。
【０１８４】
決定部６０Ｉは、特色補正チャート用画像データ７６と、有色補正チャート用画像データ７７と、を含む補正チャート用画像データ７８を決定する。特色補正チャート用画像データ７６は、特色種類情報によって示される種類の特色色材による特色のパッチ領域Ａの特色色値を規定したものである。有色補正チャート用画像データ７７は、有色色材による有色領域Ｂの有色色値を規定したものである。
【０１８５】
画像形成装置１２は、媒体４０に対する有色画像５４と特色画像５２の積層順を切り替え可能に構成されている。取得部６０Ｈは、積層順を示す積層順情報を画像形成装置１２から取得する。特定部６０Ｊは、決定部６０Ｉで決定された補正チャート用画像データ７８を用いて、取得部６０Ｈで取得した特色種類情報によって示される種類の特色色材で、取得した積層順情報によって示される積層順で、画像形成装置１２によって２パス印刷で媒体４０に形成された、第１パッチ画像Ｐ１の第１測色値と色値との関係を示す、目標特性７２を特定する。生成部６０Ｋは、決定部６０Ｉで決定された補正チャート用画像データ７８を用いて、取得部６０Ｈで取得した特色種類情報によって示される種類の特色色材で、取得した積層順情報によって示される積層順で、画像形成装置１２によって１パス印刷で媒体４０に形成された、第２パッチ画像Ｐ２の第２測色値と色値との関係を示す、実測特性７４が、目標特性７２に一致するように、補正テーブル７０Ｂを生成する。
【０１８６】
γ補正部６０Ｂ（補正部）は、形成対象の画像データ２４の色値を、補正テーブル７０Ｂを用いて補正する。送信部６０Ｅは、補正された画像データ２４を画像形成装置１２へ送信する。
【０１８７】
特色色材は、金属色、白、透明、蛍光、の何れかの色を示す色材である。
【０１８８】
また、本実施の形態の情報処理方法は、特色色材による特色画像５２と、有色色材による有色画像５４と、の積層画像５０を、特色画像５２および有色画像５４の一方を媒体４０に形成して固定化した後に他方を積層して形成する２パス印刷、または、特色画像５２および有色画像５４の一方を媒体４０に形成した後に固定化を介さずに他方を積層して形成する１パス印刷、により形成する画像形成装置１２を制御する制御方法である。
【０１８９】
本実施の形態の情報処理方法は、色値の異なる複数のパッチ領域Ｐ’を規定した補正チャート用画像データ７８を用いて、画像形成装置１２によって２パス印刷で形成された、パッチ領域Ｐ’の各々に対応する積層画像５０としての第１パッチ画像Ｐ１の第１測色値と色値との関係を示す目標特性７２を特定するステップと、補正チャート用画像データ７８を用いて、画像形成装置１２によって１パス印刷で形成された、パッチ領域Ｐ’の各々に対応する積層画像５０としての第２パッチ画像Ｐ２の第２測色値と色値との関係を示す実測特性７４が、目標特性７２に近づくように、色値を補正するための補正テーブル７０Ｂを生成するステップと、を含む情報処理方法である。
【０１９０】
本実施の形態の情報処理プログラムは、特色色材による特色画像５２と、有色色材による有色画像５４と、の積層画像５０を、特色画像５２および有色画像５４の一方を媒体４０に形成して固定化した後に他方を積層して形成する２パス印刷、または、特色画像５２および有色画像５４の一方を媒体４０に形成した後に固定化を介さずに他方を積層して形成する１パス印刷、により形成する画像形成装置１２を制御するコンピュータに実行させるための情報処理プログラムである。
【０１９１】
本実施の形態の情報処理プログラムは、色値の異なる複数のパッチ領域Ｐ’を規定した補正チャート用画像データ７８を用いて、画像形成装置１２によって２パス印刷で形成された、パッチ領域Ｐ’の各々に対応する積層画像５０としての第１パッチ画像Ｐ１の第１測色値と色値との関係を示す目標特性７２を特定するステップと、補正チャート用画像データ７８を用いて、画像形成装置１２によって１パス印刷で形成された、パッチ領域Ｐ’の各々に対応する積層画像５０としての第２パッチ画像Ｐ２の第２測色値と色値との関係を示す実測特性７４が、目標特性７２に近づくように、色値を補正するための補正テーブル７０Ｂを生成するステップと、を含む。
【０１９２】
なお、上記実施の形態では、一例として、情報処理装置１０がホストコンピュータ１６に通信可能に接続された形態を説明した。しかし、ホストコンピュータ１６を設けない構成とし、情報処理装置１０のみで構成してもよい。この場合、測色器１４を、情報処理装置１０にデータや信号を授受可能に接続した構成とすればよい。
【０１９３】
（変形例１）
なお、上記実施の形態では、更新処理部６０Ｆが、画像形成装置１２のキャリブレーション条件に応じて、補正テーブル７０Ｂを生成する形態を説明した。しかし、画像形成装置１２の設定が固定である場合には、該固定の設定による１種類のキャリブレーション条件に対応する、補正テーブル７０Ｂを生成すればよい。
【０１９４】
例えば、画像形成装置１２が、白色トナーを搭載し、媒体４０上に特色画像５２および有色画像５４をこの順で形成することで積層画像５０を形成する構成であったと仮定する。また、媒体４０として、特定の媒体ＩＤに対応する媒体情報によって示される媒体４０のみが、給紙トレイ３７に搭載されていると仮定する。
【０１９５】
この場合、情報処理装置１０の記憶部６２には、補正チャート用画像データ７８として、有色補正チャート用画像データ７７と、特色種類情報“白”に対応する特色補正チャート用画像データ７６と、を予め記憶すればよい。そして、情報処理装置１０の更新処理部６０Ｆは、図１５におけるステップＳ１００〜ステップＳ１１８の処理を行わずに、記憶部６２に記憶されている特色補正チャート用画像データ７６および有色補正チャート用画像データ７７を読取ることで、補正チャート用画像データ７８を決定した後に、ステップＳ１２０〜ステップＳ１４４の処理を実行すればよい。
【０１９６】
このように、画像形成装置１２のキャリブレーション条件が固定である場合、上記実施の形態と同様の効果が得られると共に、情報処理装置１０の情報処理の簡略化を図ることができる。
【０１９７】
（第２の実施の形態）
本実施の形態では、補正テーブル７０Ｂを更に修正する形態を説明する。
【０１９８】
図１７は、本実施の形態の情報処理装置１１の機能的構成を示すブロック図である。
【０１９９】
情報処理装置１１は、制御部６１と、ＵＩ部６４と、記憶部６３と、を備える。ＵＩ部６４および記憶部６３は、制御部６１にデータや信号を授受可能に接続されている。
【０２００】
ＵＩ部６４は、第１の実施の形態と同様である。記憶部６３は、修正色値を更に記憶する点以外は、第１の実施の形態の記憶部６２と同様である。
【０２０１】
制御部６１は、色変換処理部６０Ａと、γ補正部６０Ｂと、総量規制部６０Ｃと、中間調処理部６０Ｄと、送信部６０Ｅと、更新処理部６１Ｆと、を備える。制御部６１は、更新処理部６０Ｆに代えて更新処理部６１Ｆを備えた点以外は、第１の実施の形態の制御部６０と同様である。
【０２０２】
更新処理部６１Ｆは、ＵＩ制御部６０Ｇと、取得部６０Ｈと、決定部６０Ｉと、特定部６０Ｊと、生成部６０Ｋと、更新部６１Ｌと、修正部６１Ｍと、を含む。ＵＩ制御部６０Ｇ、取得部６０Ｈ、決定部６０Ｉ、特定部６０Ｊ、および生成部６０Ｋは、第１の実施の形態と同様である。
【０２０３】
第１の実施の形態と同様に、決定部６０Ｉは、補正チャート用画像データ７８を決定する。具体的には、決定部６０Ｉは、特色補正チャート用画像データ７６と、有色補正チャート用画像データ７７と、を含む補正チャート用画像データ７８を決定する。
【０２０４】
図１８は、有色補正チャート用画像データ７７の一例を示す模式図である。上述したように、補正チャート用画像データ７８は、色値の異なる複数のパッチ領域Ｐ’を規定したデータである。パッチ領域Ｐ’は、特色のパッチ領域Ａと有色領域Ｂとの積層領域である。また、有色補正チャート用画像データ７７は、パッチ領域Ｐ’の各々における、Ｋ色、Ｙ色、Ｍ色、Ｃ色の各々の、色値の異なる複数の有色領域Ｂを規定したものである。
【０２０５】
なお、本実施の形態では、色値として、階調値を用いる場合を一例として説明する。
【０２０６】
そして、第１の実施の形態と同様に、特定部６０Ｊが、決定部６０Ｉで決定した補正チャート用画像データ７８を用いて、目標特性７２を特定する。目標特性７２を表す線図は、例えば、図１３に示す線図となる。また、目標特性７２をテーブルで表すと、例えば、図１９に示すものとなる。図１９は、目標特性７２の一例を示す図である。
【０２０７】
生成部６０Ｋは、第１の実施の形態と同様に、決定部６０Ｉで決定した補正チャート用画像データ７８を用いて、実測特性７４を特性する。実測特性７４を示す線図は、例えば、図１３に示す線図となる。
【０２０８】
図２０は、目標特性７２と実測特性７４をテーブルで表した図の一例である。なお、図２０は、Ｋ色の目標特性７２および実測特性７４のみを示したものである。図２１は、図２０に示される目標特性７２と実測特性７４を示す線図である。
【０２０９】
図２０に示す色値と第１測色値との関係が得られた場合、これらの関係を示す目標特性７２を示す線図は、図２１に示すものとなる。また、図２０に示す色値と第２測色値との関係が得られた場合、これらの関係を示す実測特性７４の線図は、図２１に示すものとなる。
【０２１０】
生成部６０Ｋは、第１の実施の形態と同様に、実測特性７４が目標特性７２に近づくように、有色画像データ２０に規定された色値を補正するための、補正テーブル７０Ｂを生成する（図１４参照）。図２２は、図２１の一部の拡大図である。図２２に示すように、生成部６０Ｋは、目標特性７２における色値ｂに対応する第１測色値ａと同じ値の第２測色値ａ’に対応する、実測特性７４における色値ｂ’を特定する。そして、生成部６０Ｋは、目標特性７２および実測特性７４に示されるパッチ画像Ｐ’の各々の測色値（第１測色値、第２測色値）について、同様にして、目標特性７２における色値ｂと、実測特性７４における色値ｂ’と、を導出する。
【０２１１】
そして、生成部６０Ｋは、測色値の各々について導出した、複数の色値ｂと色値ｂ’との組合せの各々について、目標特性７２における色値ｂを入力色値とし、実測特性７４における色値ｂ’を出力色値とした、補正テーブル７０Ｂを生成する。
【０２１２】
例えば、色値“１９１”を用いて説明する。生成部６０Ｋは、目標特性７２における、色値“１９１”に対応する第１測色値“０．９６”を特定する（図２０〜図２２参照）。そして、生成部６０Ｋは、実測特性７４における、該“０．９６”の第２測色値に対応する色値“２３７”を特定する（図２０〜図２２参照）。
【０２１３】
そして、生成部６０Ｋは、色値ｂである色値“１９１”を入力色値とし、色値ｂ’である色値“２３７”を出力色値として導出する。同様にして、生成部６０Ｋは、他パッチ画像Ｐ’の各々の測色値についても同様の処理を行うことで、目標特性７２における色値ｂと、実測特性７４における色値ｂ’と、を導出し、補正テーブル７０Ｂを生成する。
【０２１４】
なお、第１測色値と同じ値の第２測色値が、実測特性７４の測色値として測色されていない場合がある。この場合、生成部６０Ｋは、該第１測色値に最も近似する２つの第２測色値の各々に対応する色値の間を補間することで、実測特性７４における色値を特定すればよい。補間には、例えば、線形補間、スプライン補間、などを用いればよい。
【０２１５】
例えば、生成部６０Ｋは、図２０の目標特性７２における、色値“１９１”に対応する第１測色値“０．９６”に近似する２つの第２の測色値“０．８５”、“１．００”を特定する。そして、生成部６０Ｋは、実測特性７４における、第２の測色値“０．８５”を示す点と、第２の測色値“１．００”を示す点と、を線形補間する。これにより、生成部６０Ｋは、実測特性７４における、第２測色値“０．９６”に対応する色値“２３７”を特定すればよい。そして、生成部６０Ｋは、特定した色値を用いて、補正テーブル７０Ｂを生成すればよい。
【０２１６】
図２３は、補正テーブル７０Ｂの一例を示す線図である。図２３は、図２０〜図２２に示す目標特性７２および実測特性７４を用いて生成された、補正テーブル７０Ｂの一例である。
【０２１７】
図１７に戻り説明を続ける。ここで、第１の実施の形態と同様に、γ補正部６０Ｂが、補正テーブル７０Ｂを用いて有色画像データ２０（色画像データ２０Ｃ、２０Ｍ、２０Ｙ、２０Ｋ）の色値（濃度値、階調値）をγ補正したと仮定する。そして、γ補正された有色画像データ２０と、特色画像データ２２と、が、総量規制部６０Ｃ、中間調処理部６０Ｄ、および送信部６０Ｅを介して、画像形成装置１２へ出力されたと仮定する。
【０２１８】
すると、γ補正された有色画像データ２０を用いて、１パス印刷で形成された積層画像５０の測色値は、γ補正によって補正された値となる。
【０２１９】
図２４は、入力色値と出力色値との関係を示す補正テーブル７０Ｂと、補正テーブル７０Ｂによって色値の補正された有色画像データ２０を用いて１パス印刷で形成された積層画像５０の測色値（以下、γ補正後測色値と称する）と、の関係を示す図である。なお、階調値で表した入力色値や出力色値の階調数や、階調値の値は、図２４に示す形態に限定されない。
【０２２０】
図２５は、目標特性７２と、実測特性７４と、γ変換後特性７５と、を示す模式図である。γ変換後特性７５は、色値と、補正テーブル７０Ｂを用いたγ補正後測色値と、の関係を示す。
【０２２１】
図２４および図２５のγ変換後特性７５に示されるように、補正テーブル７０Ｂを用いてγ補正された有色画像データ２０を用いて、１パス印刷で形成された積層画像５０のγ補正後測色値は、色値が最大色値（例えば、階調値“２５５”）に近づくほど飽和する。これは、補正テーブル７０Ｂが、１パス印刷で、２パス印刷によって形成される積層画像５０と同様な程度の画質を実現するための、補正テーブルであるためである。
【０２２２】
このため、補正テーブル７０Ｂを用いてγ補正された有色画像データ２０を用いて、１パス印刷で積層画像５０を形成すると、有色画像データ２０に規定された色値（階調値）が大きいほど、形成される積層画像５０のγ補正後測色値に、有色画像データ２０の色値の差に応じた差が生じにくくなる場合がある。
【０２２３】
そこで、本実施の形態では、補正テーブル７０Ｂを修正する。図１７に戻り説明を続ける。修正部６１Ｍは、生成部６０Ｋで生成された補正テーブル７０Ｂを修正する。
【０２２４】
図２３を用いて説明する。修正部６１Ｍは、補正テーブル７０Ｂにおける、予め定めた修正色値から最大色値までの修正範囲Ｓの出力色値を、単調増加する出力色値に修正する。
【０２２５】
修正範囲Ｓとは、予め定めた修正色値から、補正テーブル７０Ｂの出力色値の最大値である最大色値までの、出力色値の範囲である。
【０２２６】
修正色値とは、修正範囲Ｓの下限を示す出力色値である。図２３には、修正色値が“２３７”である場合を、一例として示した。修正色値は、予め定めればよい。例えば、修正色値は、補正テーブル７０Ｂにおける、入力色値の増加に対して出力色値の増加の飽和が開始する出力色値であればよい。
【０２２７】
本実施の形態では、更新処理部６１Ｆは、上記条件を満たす修正色値を予め測定し、記憶部６３に予め記憶する（図１７の修正色値６３Ｃ参照）。そして、修正部６１Ｍは、記憶部６３から修正色値を読取り、補正テーブル７０Ｂの修正に用いればよい。
【０２２８】
修正部６１Ｍは、補正テーブル７０Ｂにおける修正範囲Ｓの出力色値を、一定や略一定ではなく、入力色値の増加に対して単調増加する出力色値に修正する。
【０２２９】
図２６は、修正後の補正テーブル７０Ｃの一例を示す模式図である。図２７は、修正後の補正テーブル７０Ｃ、補正テーブル７０Ｂと、後述する第３測色値と、の関係を示す図である。図２６および図２７には、修正色値が“２３７”である場合を、一例として示した。修正部６１Ｍが補正テーブル７０Ｂにおける修正範囲Ｓの出力色値を修正することによって、修正範囲Ｓの出力色値が、修正色値“２３７”に対応する入力色値“１９１”から最大色値“２５５”に向かって単調増加する出力色値に修正される。この修正処理により、修正後の補正テーブル７０Ｃが生成される。
【０２３０】
図１７に戻り説明を続ける。本実施の形態では、修正部６１Ｍは、補正テーブル７０Ｂの生成に用いた目標特性７２および実測特性７４と、修正色値と、を用いて、補正テーブル７０Ｂを修正する。
【０２３１】
具体的には、修正部６１Ｍは、色値特定部６１Ｎと、特性生成部６１Ｐと、色値修正部６１Ｑと、を含む。
【０２３２】
色値特定部６１Ｎは、補正テーブル７０Ｂにおける、修正色値を示す出力色値に対応する、入力色値を特定する。例えば、修正色値が“２３７”であったと仮定する。この場合、色値特定部６１Ｎは、図２３および図２４に示す補正テーブル７０Ｂから、出力色値“２３７”に対応する入力色値“１９１”を特定する。
【０２３３】
なお、色値特定部６１Ｎは、記憶部６３から修正色値を読取ることで、修正色値を取得し、入力色値の特定に用いればよい。
【０２３４】
特性生成部６１Ｐは、修正特性を生成する。修正特性は、γ変換後特性７５（図２５参照）の一部を修正した特性であり、測色値（以下、第３測色値と称する）と色値との関係を示す。
【０２３５】
図２８は、修正特性７１の一例の説明図である。図２８には、修正色値が“２３７”である場合を一例として示した。特性生成部６１Ｐは、補正テーブル７０Ｂの生成に用いた目標特性７２および実測特性７４と、修正色値と、を用いて、修正特性７１を生成する。
【０２３６】
まず、特性生成部６１Ｐは、修正色値“２３７”の画像を画像形成装置１２によって１パス印刷で媒体に形成したときの測色値（例えば、“０．９６”）を特定する。そして、特性生成部６１Ｐは、目標特性７２における、該測色値“０．９６”を示す第１点Ｘ１を特定する。また、特性生成部６１Ｐは、実測特性７４における、最大色値“２５５”を示す第２点Ｘ２を特定する。そして、特性生成部６１Ｐは、第１点Ｘ１と第２点Ｘ２との間を補間することによって、修正特性７１を生成する。補間には、例えば、線形補間や、スプライン補間、などを用いればよい。以下、一例として、線形補間を行う場合を説明する。
【０２３７】
このため、修正特性７１は、色値と補正テーブル７０Ｂを用いたγ補正後測色値との関係を示すγ変換後特性７５における、修正色値“２３７”に対応するγ補正後測色値“０．９６”から最大色値“２５５”に対応する第２測色値“１．２”までの範囲を、線形補間により補間したものとなる。
【０２３８】
言い換えると、特性生成部６１Ｐは、図２４に示すγ変換後特性７５における、出力色値が修正色値“２３７”〜最大色値“２５５”に対応する範囲Ｖ１に示すγ補正後測色値と入力色値との関係を、図２７に示す、範囲Ｖ２の第３測色値と入力色値との関係に補正する。これによって、特性生成部６１Ｐは、修正特性７１を生成する。
【０２３９】
図１７に戻り、次に、色値修正部６１Ｑについて説明する。色値修正部６１Ｑは、補正テーブル７０Ｂにおける修正範囲Ｓの出力色値を、実測特性７４における、修正特性７１の第３測色値を示す第２測色値に対応する色値に修正する。
【０２４０】
図２７および図２８を用いて説明する。補正テーブル７０Ｂにおける出力色値の修正範囲Ｓが、修正色値“２３７”〜最大色値“２５５”であったと仮定する（図２７の領域Ｓ１参照）。この場合、色値修正部６１Ｑは、補正テーブル７０Ｂにおける出力色値“２３７”〜最大色値“２５５”を、図２７の領域Ｓ２内に示す値に修正する。
【０２４１】
図２８を用いて具体的に説明する。色値修正部６１Ｑは、修正特性７１における色値ｄに対応する第３測色値ｃと同じ値の第２測色値ｃ’に対応する、実測特性７４における色値ｄ’を特定する。
【０２４２】
そして、色値修正部６１Ｑは、補正テーブル７０Ｂにおける修正範囲Ｓの出力色値の各々に対して、上記と同様の処理を行うことで、修正特性７１における色値ｄと、実測特性７４における色値ｄ’の対を特定する。そして、色値修正部６１Ｑは、これらの対の各々における、修正特性７１における色値ｄを入力色値とし、実測特性７４における色値ｄ’を出力色値とするように、補正テーブル７０Ｂを修正し、修正後の補正テーブル７０Ｃを生成する。
【０２４３】
このようにして、修正部６１Ｍは、生成部６０Ｋによって生成された補正テーブル７０Ｂについて、修正色値から最大色値までの修正範囲Ｓの出力色値を、単調増加する出力色値に修正する（図２６参照）。これによって、修正部６１Ｍは、補正テーブル７０Ｂを修正後の補正テーブル７０Ｃに修正する。
【０２４４】
図１７に戻り説明を続ける。更新部６１Ｌは、修正部６１Ｍで修正された、修正後の補正テーブル７０Ｃを、取得部６０Ｈで取得したキャリブレーション条件に対応づけて、補正管理ＤＢ６２Ａ（図８参照）に登録する。すなわち、更新部６１Ｌは、生成部６０Ｋで生成された補正テーブル７０Ｂに代えて、補正テーブル７０Ｂを修正した修正後の補正テーブル７０Ｃを用いる点以外は、第１の実施の形態の更新部６０Ｌと同様の処理を行う。このため、本実施の形態では、記憶部６３の補正管理ＤＢ６２Ａには、補正テーブル７０Ｂに代えて、修正後の補正テーブル７０Ｃが登録される。
【０２４５】
次に、情報処理装置１１の制御部６１で実行する、補正テーブル更新時の情報処理の手順の一例を説明する。
【０２４６】
図２９は、情報処理装置１１の制御部６１で実行する、補正テーブル更新時の情報処理の手順の一例を示す、フローチャートである。
【０２４７】
まず、制御部６１は、補正テーブル生成処理を実行する（ステップＳ３００）。ステップＳ３００の処理は、第１の実施の形態で説明した、図１５のステップＳ１００〜ステップＳ１４０と同様である。このため、ステップＳ３００の処理によって、補正テーブル７０Ｂが生成される。
【０２４８】
次に、色値特定部６１Ｎが、修正色値を取得する（ステップＳ３０２）。本実施の形態では、色値特定部６１Ｎは、記憶部６３から修正色値を読取ることで、修正色値を取得する。
【０２４９】
次に、色値特定部６１Ｎは、ステップＳ３００で生成された補正テーブル７０Ｂにおける、ステップＳ３０２で取得した修正色値を示す出力色値に対応する、入力色値を特定する（ステップ３０４）。
【０２５０】
次に、特性生成部６１Ｐが、ステップＳ３００で生成された補正テーブル７０Ｂの生成に用いられた目標特性７２および実測特性７４と、ステップＳ３０２で取得した修正色値と、を用いて、修正特性７１を生成する（ステップＳ３０６）。
【０２５１】
次に、色値修正部６１Ｑが、ステップＳ３００で生成された補正テーブル７０Ｂを修正する（ステップＳ３０８）。色値修正部６１Ｑは、補正テーブル７０Ｂにおける、ステップＳ３０２で取得した修正色値から最大色値までの修正範囲Ｓの出力色値を修正する。このとき、色値修正部６１Ｑは、ステップＳ３００で特定した実測特性７４における、ステップＳ３０６で生成した修正特性７１の第３測色値を示す第２測色値に対応する色値に、修正範囲Ｓの出力色値を修正する。
【０２５２】
次に、更新部６１Ｌが、ステップＳ３００（詳細には、図１５のステップＳ１００）で取得したキャリブレーション条件に対応づけて、ステップＳ３０８で修正した、修正後の補正テーブル７０Ｃを、補正管理ＤＢ６２Ａへ登録する。これによって、更新部６１Ｌは、補正テーブルを更新する（ステップＳ３１０）。そして、本ルーチンを終了する。
【０２５３】
以上説明したように、本実施の形態では、修正部６１Ｍが、補正テーブル７０Ｂにおける、予め定めた修正色値から最大色値までの修正範囲Ｓの出力色値を、単調増加する出力色値に修正する。
【０２５４】
このため、本実施の形態の情報処理装置１１では、出力色値が最大色値（例えば、階調値“２５５”）に近づくほど、形成された画像の測色値が飽和する事を、抑制することができる。
【０２５５】
従って、本実施の形態の情報処理装置１１は、特色画像５２と有色画像５４との積層画像５０の、更なる画質向上を図ることができる。
【０２５６】
また、修正部６１Ｍは、色値特定部６１Ｎと、特性生成部６１Ｐと、色値修正部６１Ｑと、を有する。色値特定部６１Ｎは、補正テーブル７０Ｂにおける、修正色値を示す出力色値に対応する入力色値を特定する。特性生成部６１Ｐは、目標特性７２における、修正色値の画像を、画像形成装置１２によって１パス印刷で媒体に形成したときの測色値を示す第１点と、実測特性７４における最大色値を示す第２点と、を補間し、測色値と色値との関係を示す修正特性７１を生成する。色値修正部６１Ｑは、補正テーブル７０Ｂの修正範囲Ｓの出力色値を、実測特性７４における、修正特性７１の測色値を示す第２測色値に対応する色値に修正する。
【０２５７】
（第３の実施の形態）
上記第２の実施の形態では、１つの値の修正色値を、予め記憶部６３に記憶する形態を説明した。本実施の形態では、画像形成に用いる色材の色に応じた修正色値を用いて、色ごとに補正テーブル７０Ｂを修正する形態を説明する。
【０２５８】
図１７は、本実施の形態の情報処理装置１１Ａの機能的構成を示すブロック図である。
【０２５９】
情報処理装置１１Ａは、制御部６５と、ＵＩ部６４と、記憶部６３と、を備える。ＵＩ部６４および記憶部６３は、制御部６５にデータや信号を授受可能に接続されている。
【０２６０】
ＵＩ部６４は、第１の実施の形態と同様である。記憶部６３は、修正色値６３Ｃに代えて、色管理テーブル６３Ｄ（詳細後述）を予め記憶する点以外は、第２の実施の形態と同様である。
【０２６１】
制御部６５は、更新処理部６１Ｆに代えて更新処理部６５Ｆを備える点以外は、第２の実施の形態の制御部６１と同様である。更新処理部６５Ｆは、修正部６１Ｍに代えて修正部６５Ｍを備える点以外は、第２の実施の形態の更新処理部６１Ｆと同様である。
【０２６２】
修正部６５Ｍは、画像形成に用いる色材の色に応じた修正色値を用いて、色材の色ごとに、補正テーブル７０Ｂを修正する。
【０２６３】
例えば、修正部６５Ｍは、画像形成装置１２が画像形成に用いる有色の色材の色（例えば、Ｃ、Ｍ、Ｙ、Ｋ）の各々に応じた修正色値を取得する。
【０２６４】
この場合、記憶部６３は、予め色管理テーブル６３Ｄを記憶する。図３０は、色管理テーブル６３Ｄのデータ構成の一例を示す模式図である。色管理テーブル６３Ｄは、Ｃ、Ｍ、Ｙ、Ｋの各色と、各色に対応する修正色値と、を予め対応づけたものである。
【０２６５】
色管理テーブル６３Ｄに登録される修正色値は、測色値が高い色値側で飽和することを抑制する値となるように、画像形成装置１２および測色器１４を用いて測定した結果を用いて、予め定めればよい。
【０２６６】
なお、図３０に示すように、修正色値は、形成対象の画像の明度が低いほど、小さい値であることが好ましい。すなわち、色管理テーブル６３Ｄには、明度の低い色ほど、小さい値の修正色値が予め対応づけて登録されていることが好ましい。
【０２６７】
本実施の形態では、色管理テーブル６３Ｄには、高い明度から低い明度の色（Ｙ、ＣおよびＭ、Ｋ、のこの順）に向かって、より小さい値の修正色値が予め対応づけて登録されている。
【０２６８】
そして、修正部６５Ｍは、画像形成に用いる色材の色に対応する修正色値を、色管理テーブル６３Ｄから読取る。修正部６５Ｍは、色ごとに取得した修正色値を用いて、色ごとに補正テーブル７０Ｂを修正することが好ましい。
【０２６９】
詳細には、本実施の形態の修正部６５Ｍは、色値特定部６５Ｎと、特性生成部６５Ｐと、色値修正部６５Ｑと、を有する。
【０２７０】
修正部６５Ｍは、Ｃ、Ｍ、Ｙ、Ｋの色に応じた修正色値を用いる点以外は、第２の実施の形態の色値特定部６１Ｎと同様の処理を行う。すなわち、修正部６５Ｍは、画像形成に用いる色材の色ごとに、該色に対応する補正テーブル７０Ｂから、該色の修正色値を示す出力色値に対応する、入力色値を特定する。
【０２７１】
例えば、修正部６５Ｍは、Ｋ色に対応する修正色値“１５９”を色管理テーブル６３Ｄから取得する。そして、修正部６５Ｍは、Ｋ色用に生成された補正テーブル７０Ｂから、出力色値“１５９”に対応する入力色値を特定する。修正部６５Ｍは、Ｃ、Ｍ、Ｙ、の各色についても同様に、入力色値を特定する。
【０２７２】
特性生成部６５Ｐは、修正特性７１を特定する。本実施の形態では、特性生成部６５Ｐは、Ｃ、Ｍ、Ｙ、Ｋの色ごとに、修正特性７１を特定する以外は、第２の実施の形態の特性生成部６１Ｐと同様の処理を行う。
【０２７３】
すなわち、特性生成部６５Ｐは、Ｃ、Ｍ、Ｙ、Ｋの色ごとに、各色の補正テーブル７０Ｂの生成に用いた目標特性７２および実測特性７４と、各色の修正色値（“２０７”、“２０７”、“２２３”、“１５９”）の各々と、を用いて、修正特性７１を生成する。
【０２７４】
色値修正部６５Ｑは、Ｃ、Ｍ、Ｙ、Ｋの色ごとに、各色に対応する修正色値を用いて、各色に対応する補正テーブル７０Ｂを修正する点以外は、第２の実施の形態の色値修正部６１Ｑと同様の処理を行う。
【０２７５】
すなわち、色値修正部６５Ｑは、Ｃ、Ｍ、Ｙ、Ｋの色の各々に対応する補正テーブル７０Ｂにおける修正範囲Ｓの出力色値を、各色に対応する実測特性７４における、各色に対応する修正特性７１の第３測色値を示す第２測色値に対応する色値に修正する。
【０２７６】
このようにして、修正部６５Ｍは、各色に対応する補正テーブル７０Ｂを、各色に対応する修正色値を用いて、修正後の補正テーブル７０Ｃに修正する。
【０２７７】
このため、γ補正部６０Ｂは、Ｃ、Ｍ、Ｙ、Ｋの各々の色の有色画像データ２０（色画像データ２０Ｃ、２０Ｍ、２０Ｙ、２０Ｋ）に対して、各色に対応する修正後の補正テーブル７０Ｃを用いてγ補正を行うことができる。
【０２７８】
ここで、Ｃ、Ｍ、Ｙ、Ｋの各色に応じた修正色値を用いず、１つの値の修正色値を用いた場合、修正後の補正テーブル７０Ｃを用いてγ補正された有色画像データ２０を用いて１パス印刷で形成された積層画像５０のγ補正後測色値の飽和が改善されない場合があった。これは、色に拘らず１つの値の修正色値を用いた場合、色値が変化しても測定値の変化の小さい特性を示す、修正特性７１が生成される場合があるためである。
【０２７９】
図３１は、修正特性７１の一例を示す模式図である。図３１（Ａ）は、Ｙ色に対応する、目標特性７２と、実測特性７４と、修正特性７１と、を示す模式図である。図３１（Ｂ）は、Ｋ色に対応する、目標特性７２と、実測特性７４と、修正特性７１と、を示す模式図である。なお、図３１（Ａ）および図３１（Ｂ）は、同じ修正色値“２２３”を用いて、修正特性７１を生成した場合を示す図である。
【０２８０】
図３１（Ａ）に示すように、色ごとに同じ修正色値を用いた場合、より明度の高いＹ色に対応する修正特性７１は、色値の変化に応じて測色値が単調増加する関係を示すものとなる。一方、図３１（Ｂ）に示すように、より明度の低いＫ色に対応する修正特性７１は、Ｙ色と同じ修正色値を用いた場合、色値の変化に拘らず測色値が略一定の関係を示すものとなる場合がある。このように、色ごとに同じ修正色値を用いた場合、ある色では測色値の飽和が抑制されても、他の色では測色値の飽和が抑制されない場合がある。
【０２８１】
このため、Ｋ色について、図３１（Ｂ）に示す修正特性７１を用いて補正テーブル７０Ｂを修正すると、形成された画像の測色値が最大色値の付近で飽和する事を、抑制することができない場合がある。
【０２８２】
そこで、本実施の形態では、上述したように、色値修正部６５Ｑは、Ｃ、Ｍ、Ｙ、Ｋの色ごとに、各色に対応する修正色値を用いて、各色に対応する補正テーブル７０Ｂを修正する。このため、Ｋ色に対応する修正色値を用いて生成した修正特性７１は、例えば、図３２に示すものとなる。図３２は、Ｋ色に対応する修正色値を用いて生成された、修正特性７１の説明図である。
【０２８３】
図３２に示すように、Ｋ色に対応する修正色値を用いて生成された修正特性７１は、Ｙ色と同じ修正色値を用いて生成された修正特性７１（図３１（Ｂ）参照）に比べて、色値の変化に応じて測色値が単調増加する関係を示すものとなる。
【０２８４】
このため、各色に対応する修正色値を用いて、色ごとに修正特性７１を生成し、該修正特性７１を用いて色ごとに補正テーブル７０Ｂを修正することで、更なる画質向上を図ることができる。
【０２８５】
以上説明したように、本実施の形態の情報処理装置１１Ａの修正部６５Ｍは、画像形成に用いる色材の色に応じた修正色値を用いて、色材の色ごとに、補正テーブル７０Ｂを修正する。
【０２８６】
従って、本実施の形態の情報処理装置１１Ａは、特色画像５２と有色画像５４との積層画像５０の、更なる画質向上を図ることができる。
【０２８７】
（第４の実施の形態）
上記第２の実施の形態では、１つの値の修正色値を、予め記憶部６３に記憶する形態を説明した。本実施の形態では、画像形成対象の媒体４０に応じた修正色値を用いて、補正テーブル７０Ｂを修正する形態を説明する。
【０２８８】
図１７は、本実施の形態の情報処理装置１１Ｂの機能的構成を示すブロック図である。
【０２８９】
情報処理装置１１Ｂは、制御部６６と、ＵＩ部６４と、記憶部６３と、を備える。ＵＩ部６４および記憶部６３は、制御部６６にデータや信号を授受可能に接続されている。
【０２９０】
ＵＩ部６４は、第１の実施の形態と同様である。記憶部６３は、修正色値６３Ｃに代えて、媒体管理テーブル６３Ｅ（詳細後述）を予め記憶する点以外は、第２の実施の形態と同様である。
【０２９１】
制御部６６は、更新処理部６１Ｆに代えて更新処理部６６Ｆを備える点以外は、第２の実施の形態の制御部６１と同様である。更新処理部６６Ｆは、修正部６１Ｍに代えて修正部６６Ｍを備える点以外は、第２の実施の形態の更新処理部６１Ｆと同様である。
【０２９２】
修正部６６Ｍは、画像形成対象の媒体４０に応じた修正色値を用いて、補正テーブル７０Ｂを修正する。
【０２９３】
この場合、記憶部６３は、予め媒体管理テーブル６３Ｅを記憶する。図３３は、媒体管理テーブル６３Ｅのデータ構成の一例を示す模式図である。媒体管理テーブル６３Ｅは、媒体４０の媒体ＩＤと、修正色値と、を対応づけたものである。媒体ＩＤは、第１の実施の形態と同様である。
【０２９４】
媒体管理テーブル６３Ｅに登録される修正色値は、測色値が高い色値側で飽和することを抑制する値となるように、画像形成装置１２および測色器１４を用いて、媒体ＩＤによって識別される媒体４０ごとに測定した結果を用いて、予め定めればよい。
【０２９５】
修正部６６Ｍは、画像形成対象の媒体４０の媒体ＩＤを、取得部６０Ｈを介して画像形成装置１２から取得する。そして、修正部６６Ｍは、取得した媒体ＩＤに対応する修正色値を、媒体管理テーブル６３Ｅから読取ることで、媒体４０に応じた修正色値を取得すればよい。
【０２９６】
そして、修正部６６Ｍは、取得した修正色値を用いて、補正テーブル７０Ｂを修正すればよい。修正部６６Ｍによる補正テーブル７０Ｂの修正は、画像形成対象の媒体４０に応じた修正色値を用いる点以外は、上記第２の実施の形態と同様である。
【０２９７】
詳細には、本実施の形態の修正部６６Ｍは、色値特定部６６Ｎと、特性生成部６６Ｐと、色値修正部６６Ｑと、を有する。
【０２９８】
色値特定部６６Ｎ、特性生成部６６Ｐ、および色値修正部６６Ｑは、媒体４０に応じた修正色値を用いる点以外は、第２の実施の形態の色値特定部６１Ｎ、特性生成部６１Ｐ、および色値修正部６１Ｑの各々と同様の処理を行う。
【０２９９】
修正部６５Ｍが、媒体４０に応じた修正色値を用いて補正テーブル７０Ｂを修正すると、γ補正部６０Ｂは、修正された補正テーブル７０Ｃを用いてγ補正を行うことができる。
【０３００】
ここで、媒体４０に拘らず、１つの値の修正色値を用いた場合、修正後の補正テーブル７０Ｃを用いてγ補正された有色画像データ２０を用いて１パス印刷で形成された積層画像５０のγ補正後測色値の飽和が、改善されない場合がある。これは、媒体４０のカラー、種類、秤量、などによって、色値が変化しても測定値の変化の小さい特性を示す、修正特性７１が生成される場合があるためである。
【０３０１】
図３４は、修正特性７１の一例を示す模式図である。図３４（Ａ）は、媒体ＩＤ“Ａ”の媒体４０に対応する、目標特性７２と、実測特性７４と、修正特性７１と、を示す模式図である。図３４（Ｂ）は、媒体ＩＤ“Ｂ”の媒体４０に対応する、目標特性７２と、実測特性７４と、修正特性７１と、を示す模式図である。なお、図３４（Ａ）および図３４（Ｂ）は、同じ修正色値“２２３”を用いて、修正特性７１を生成した場合を示す図である。
【０３０２】
図３４（Ａ）に示すように、媒体４０に拘らず同じ修正色値を用いた場合、媒体ＩＤ“Ａ”の媒体４０に対応する修正特性７１は、色値の変化に応じて測色値が単調増加する関係を示すものとなる。一方、図３４（Ｂ）に示すように、媒体ＩＤ“Ａ”と同じ修正色値を用いて生成された、媒体ＩＤ“Ｂ”の修正特性７１は、色値の変化に拘らず測色値が略一定の関係を示すものとなる場合がある。このように、媒体４０ごとに同じ修正色値を用いた場合、ある媒体４０では測色値の飽和が抑制されても、他の媒体４０では測色値の飽和が抑制されない場合がある。
【０３０３】
このため、媒体４０の種類などによっては、媒体４０に拘らず同じ修正色値を用いて補正テーブル７０Ｂを修正すると、形成された画像の測色値が最大色値の付近で飽和する事を、抑制することができない場合がある。
【０３０４】
そこで、本実施の形態では、上述したように、色値修正部６６Ｑは、画像形成対象の媒体４０に応じた修正色値を用いて、補正テーブル７０Ｂを修正する。このため、例えば、媒体ＩＤ“Ｂ”に応じた修正色値“１９１”を用いて生成された修正特性７１は、例えば、図３５に示すものとなる。図３５は、形成対象の媒体４０の媒体ＩＤ“Ｂ”に応じた修正色値を用いて生成された、修正特性７１の説明図である。
【０３０５】
図３４に示すように、媒体ＩＤ“Ｂ”に応じた修正色値“１９１”を用いて生成された修正特性７１は、媒体ＩＤ“Ａ”と同じ修正色値“２２３”を用いて生成された修正特性７１（図３４（Ｂ）参照）に比べて、色値の変化に応じて測色値が単調増加する関係を示すものとなる。
【０３０６】
このため、媒体４０に応じた修正色値を用いて修正特性７１を生成し、該修正特性７１を用いて補正テーブル７０Ｂを修正することで、更なる画質向上を図ることができる。
【０３０７】
以上説明したように、本実施の形態の情報処理装置１１Ｂの修正部６６Ｍは、画像形成対象の媒体４０に応じた修正色値を用いて、補正テーブル７０Ｂを修正する。
【０３０８】
従って、本実施の形態の情報処理装置１１Ｂは、特色画像５２と有色画像５４との積層画像５０の、更なる画質向上を図ることができる。
【０３０９】
（第５の実施の形態）
上記第２の実施の形態では、１つの値の修正色値を、予め記憶部６３に記憶する形態を説明した。本実施の形態では、画像形成に用いる色材の転写部材（中間転写ベルト３９）への転写順に応じた修正色値を用いて、転写順の色ごとに補正テーブル７０Ｂを修正する形態を説明する。
【０３１０】
図１７は、本実施の形態の情報処理装置１１Ｄの機能的構成を示すブロック図である。
【０３１１】
情報処理装置１１Ｄは、制御部６８と、ＵＩ部６４と、記憶部６３と、を備える。ＵＩ部６４および記憶部６３は、制御部６８にデータや信号を授受可能に接続されている。
【０３１２】
ＵＩ部６４は、第１の実施の形態と同様である。記憶部６３は、修正色値６３Ｃと共に、転写順管理テーブル６３Ｆ（詳細後述）を予め記憶する点以外は、第２の実施の形態と同様である。
【０３１３】
制御部６８は、更新処理部６１Ｆに代えて更新処理部６８Ｆを備える点以外は、第２の実施の形態の制御部６１と同様である。更新処理部６８Ｆは、修正部６１Ｍに代えて修正部６８Ｍを備える点以外は、第２の実施の形態の更新処理部６１Ｆと同様である。
【０３１４】
修正部６８Ｍは、中間転写ベルト３９への一次転写の転写順に応じた修正色値を用いて、転写順ごとに、補正テーブル７０Ｂを修正する。詳細には、修正部６８Ｍは、画像形成装置１２において中間転写ベルト３９に転写される色材の色ごとに、該色の色材の転写順に応じた修正値を用いて、補正テーブル７０Ｂを修正する。
【０３１５】
本実施の形態では、修正部６８Ｍは、中間転写ベルト３９への転写順が早いほど、基準値より小さい値の修正色値を用いて、転写順ごとに補正テーブル７０Ｂを修正する。中間転写ベルト３９の転写順が早い、とは、一次転写されたときに、より中間転写ベルト３９側に位置することを意味する。
【０３１６】
例えば、修正部６８Ｍは、画像形成装置１２が画像形成に用いる有色の色材の色の各々について、転写順を画像形成装置１２から取得する。修正部６８Ｍは、取得部６０Ｈを介して画像形成装置１２から、色の各々の転写順を取得すればよい。
【０３１７】
そして、修正部６８Ｍは、転写順の各々に応じた修正色値を取得する。
【０３１８】
例えば、記憶部６３は、１つの値の修正色値６３Ｃと、転写順管理テーブル６３Ｆと、を予め記憶する。１つの値の修正色値６３Ｃは、基準値の一例である。
【０３１９】
図３６は、転写順管理テーブル６３Ｆのデータ構成の一例を示す模式図である。転写順管理テーブル６３Ｆは、転写順と、基準値の補正量と、を予め対応づけたものである。転写順管理テーブル６３Ｆには、転写順が早い（値が小さい）ほど、より小さい値に基準値を補正するための補正量が予め登録されている。
【０３２０】
修正部６８Ｍは、画像形成に用いる色（Ｃ、Ｍ、Ｙ、Ｋ）の各々の転写順に対応する補正量を、転写順管理テーブル６３Ｆから読取る。そして、修正部６８Ｍは、基準値である修正色値６３Ｃを、読取った補正量で、補正する。これによって、修正部６８Ｍは、中間転写ベルト３９への転写順が早いほど、基準値より小さい値の修正色値を、該転写順に一次転写される色ごとに算出する。これによって、修正部６８Ｍは、画像形成に用いる色材の色の転写順ごとに、修正色値を取得する。
【０３２１】
図３７は、画像形成に用いる色材の色の転写順に対応する、修正色値の一例を示す図である。図３７に示すように、修正部６８Ｍは、色ごとに、中間転写ベルト３９への一次転写の転写順が早いほど、より小さい値の修正色値を取得する。
【０３２２】
そして、修正部６８Ｍは、画像形成に用いる色材の色の転写順ごとに取得した修正色値を用いて、転写順ごと（すなわち色ごと）に、補正テーブル７０Ｂを修正する。
【０３２３】
詳細には、本実施の形態の修正部６８Ｍは、色値特定部６８Ｎと、特性生成部６８Ｐと、色値修正部６８Ｑと、を有する。
【０３２４】
修正部６８Ｍは、Ｃ、Ｍ、Ｙ、Ｋの色の各々の転写順に応じた修正色値を用いる点以外は、第２の実施の形態の色値特定部６１Ｎと同様の処理を行う。すなわち、修正部６８Ｍは、画像形成に用いる色材の色の各々の転写順ごとに、該色に対応する補正テーブル７０Ｂから、該転写順の修正色値を示す出力色値に対応する、入力色値を特定する。
【０３２５】
特性生成部６８Ｐは、修正特性７１を特定する。本実施の形態では、特性生成部６８Ｐは、Ｃ、Ｍ、Ｙ、Ｋの色の各々の転写順ごとに、修正特性７１を生成する以外は、第２の実施の形態の特性生成部６１Ｐと同様の処理を行う。
【０３２６】
色値修正部６８Ｑは、Ｃ、Ｍ、Ｙ、Ｋの色の各々の転写順ごとに、各転写順に対応する修正色値を用いて、各色に対応する補正テーブル７０Ｂを修正する点以外は、第２の実施の形態の色値修正部６１Ｑと同様の処理を行う。
【０３２７】
このようにして、修正部６８Ｍは、各色に対応する補正テーブル７０Ｂを、各色の転写順に対応する修正色値を用いて、修正後の補正テーブル７０Ｃに修正する。
【０３２８】
このため、γ補正部６０Ｂは、Ｃ、Ｍ、Ｙ、Ｋの各々の色の有色画像データ２０（色画像データ２０Ｃ、２０Ｍ、２０Ｙ、２０Ｋ）に対して、各色の色材の中間転写ベルト３９への一次転写の転写順に対応する修正後の補正テーブル７０Ｃを用いて、γ補正を行うことができる。
【０３２９】
ここで、Ｃ、Ｍ、Ｙ、Ｋの各色の転写順に応じた修正色値を用いず、１つの値の修正色値（例えば、基準値）を用いた場合、修正後の補正テーブル７０Ｃを用いてγ補正された有色画像データ２０を用いて１パス印刷で形成された積層画像５０のγ補正後測色値の飽和が改善されない場合があった。これは、転写順に拘らず１つの値の修正色値を用いた場合、色値が変化しても測定値の変化の小さい特性を示す、修正特性７１が生成される場合があるためである。
【０３３０】
図３８は、修正特性７１の一例を示す模式図である。図３８（Ａ）は、転写順“４”で一次転写する色に対応する、目標特性７２と、実測特性７４と、修正特性７１と、を示す模式図である。図３８（Ｂ）は、転写順“１”で一次転写する色に対応する、目標特性７２と、実測特性７４と、修正特性７１と、を示す模式図である。なお、図３８（Ａ）および図３８（Ｂ）は、同じ修正色値“２０７”を用いて、修正特性７１を生成した場合を示す図である。また、図３８（Ａ）および図３８（Ｂ）は、同じ色の色材を用いた場合を示す図である。
【０３３１】
図３８（Ａ）に示すように、転写順に拘らず、同じ色について同じ修正色値を用いた場合、最も遅い転写順“４”である場合の修正特性７１は、色値の変化に応じて測色値が単調増加する関係を示すものとなる。一方、図３８（Ｂ）に示すように、最も早い転写順“１”である場合の修正特性７１は、色値の変化に拘らず測色値が略一定の関係を示すものとなる場合がある。一次転写の転写順が早いほど、中間転写ベルト３９への転写性が低下する場合があると考えられる。このため、一次転写の転写順が早いほど、媒体４０に二次転写される色材の量が少なくなり、上記結果が得られる場合があると考えられる。
【０３３２】
このため、転写順に拘らず同じ修正色値を用いた場合、最も早い転写順“１”で転写する色について、図３８（Ｂ）に示す修正特性７１を用いて補正テーブル７０Ｂを修正すると、形成された画像の測色値が最大色値の付近で飽和する事を、抑制することができない場合がある。
【０３３３】
そこで、本実施の形態では、上述したように、色値修正部６８Ｑは、Ｃ、Ｍ、Ｙ、Ｋの色の中間転写ベルト３９への一次転写の転写順ごとに、転写順に対応する修正色値を用いて、各色に対応する補正テーブル７０Ｂを修正する。このため、最も早い転写順“１”に対応する修正色値を用いて生成した修正特性７１は、例えば、図３９に示すものとなる。図３９は、転写順“１”に対応する修正色値を用いて生成された、修正特性７１の説明図である。
【０３３４】
図３９に示すように、転写順“１”に対応する修正色値を用いて生成された修正特性７１は、転写順“４”と同じ修正色値を用いて生成された修正特性７１（図３８（Ｂ）参照）に比べて、色値の変化に応じて測色値が単調増加する関係を示すものとなる。
【０３３５】
このため、転写順に対応する修正色値を用いて、転写順の色ごとに修正特性７１を生成し、該修正特性７１を用いて転写順の色ごとに補正テーブル７０Ｂを修正することで、更なる画質向上を図ることができる。
【０３３６】
以上説明したように、本実施の形態の情報処理装置１１Ｄは、中間転写ベルト３９（転写部材）に複数の画像を積層して一次転写した後に、画像の積層体を媒体４０に二次転写する画像形成装置１２（画像形成部）を制御する。そして、情報処理装置１１Ｄの修正部６８Ｍは、中間転写ベルト３９（転写部材）への転写順が早いほど、基準値より小さい値の修正色値を用いて、転写順の色ごとに補正テーブル７０Ｂを修正する。
【０３３７】
従って、本実施の形態の情報処理装置１１Ｄは、特色画像５２と有色画像５４との積層画像５０の、更なる画質向上を図ることができる。
【０３３８】
（第６の実施の形態）
上記第２の実施の形態では、１つの値の修正色値を用いて、補正テーブル７０Ｂを修正する形態を説明した。本実施の形態では、記憶部６３に記憶された修正色値を更新し、更新後の修正色値を用いて、補正テーブル７０Ｂを修正する形態を説明する。
【０３３９】
図１７は、本実施の形態の情報処理装置１１Ｅの機能的構成を示すブロック図である。
【０３４０】
情報処理装置１１Ｅは、制御部６９と、ＵＩ部６４と、記憶部６３と、を備える。ＵＩ部６４および記憶部６３は、制御部６９にデータや信号を授受可能に接続されている。
【０３４１】
ＵＩ部６４は、第１の実施の形態と同様である。記憶部６３は、第１の実施の形態の記憶部６２と同様である。すなわち、記憶部６３には、１つの値の修正色値が予め記憶されている。
【０３４２】
制御部６９は、更新処理部６１Ｆに代えて更新処理部６９Ｆを備える点以外は、第２の実施の形態の制御部６１と同様である。更新処理部６９Ｆは、修正部６１Ｍに代えて修正部６９Ｍを備える点以外は、第２の実施の形態の更新処理部６１Ｆと同様である。
【０３４３】
修正部６９Ｍは、予め定めた条件を満たす場合に、記憶部６３に記憶されている修正色値を更新し、更新後の修正色値を用いて、補正テーブル７０Ｂを修正する。
【０３４４】
本実施の形態の修正部６９Ｍは、色値特定部６９Ｎと、特性生成部６９Ｐと、色値修正部６９Ｑと、を有する。色値特定部６９Ｎ、特性生成部６９Ｐ、および色値修正部６９Ｑは、更新後の修正色値を用いる点以外は、上記第２の実施の形態の色値特定部６１Ｎ、特性生成部６１Ｐ、および色値修正部６１Ｑと同様の処理を行う。
【０３４５】
詳細には、本実施の形態では、修正部６９Ｍは、予め定めた修正色値が、実測特性７４における最大色値の第２測色値を示す第１測色値に対応する、目標特性７２における色値以上の場合、該修正色値を該色値未満に更新する。そして、修正部６９Ｍは、更新後の修正色値を用いて、補正テーブル７０Ｂを修正する。
【０３４６】
図４０は、修正特性７１の一例を示す模式図である。図４０は、予め定めた修正色値が“２１８”以上である場合の、目標特性７２と、実測特性７４と、を示す模式図である。
【０３４７】
色値“２１８”は、図４０に示す実測特性７４における最大色値“２５５”の第２測色値“１．００”を示す第１測色値に対応する、目標特性７２における色値“２１８”である。
【０３４８】
修正色値が、このような色値（図４０に示す例では色値“２１８”）以上である場合、色値の変化に拘らず測色値が略一定の関係を示すものとなる場合がある。このため、この場合、この修正色値を用いて補正テーブル７０Ｂを修正すると、形成された画像の測色値が最大色値の付近で飽和する事を、抑制することができない場合がある。
【０３４９】
このため、修正色値は、実測特性７４における最大色値の第２測色値を示す第１測色値に対応する、目標特性７２における色値未満であることが好ましい。
【０３５０】
そこで、本実施の形態では、修正部６９Ｍは、予め定めた修正色値が、実測特性７４における最大色値の第２測色値を示す第１測色値に対応する、目標特性７２における色値以上の場合、該修正色値を該色値未満に更新する。そして、修正部６９Ｍは、更新後の修正色値を用いて、補正テーブル７０Ｂを修正する。
【０３５１】
なお、修正色値は、実測特性７４における最大色値の第２測色値を示す第１測色値に対応する、目標特性７２における色値から、実測特性７４の最大色値と該色値との差分を減算した、色値であることが好ましい。
【０３５２】
このため、修正部６９Ｍは、予め定めた修正色値を、実測特性７４における最大色値の第２測色値を示す第１測色値に対応する、目標特性７２における色値から、実測特性７４の最大色値と該色値との差分を減算した、色値に修正することが好ましい。
【０３５３】
図４０に示す例の場合、修正部６９Ｍは、色値“２１８”から、実測特性７４の最大色値“２５５”と該色値“２１８”との差分“３７”を減算した色値“１８１”に、修正色値を更新する。そして、更新した色値を用いて、修正部６９Ｍは、補正テーブル７０Ｂを修正する。
【０３５４】
このため、例えば、更新後の修正色値を用いて生成された修正特性７１は、図４１に示すものとなる。図４１は、更新後の修正色値を用いて生成された、修正特性７１の説明図である。
【０３５５】
図４１に示すように、更新後の修正色値“１８１”を用いて生成された修正特性７１は、更新前の修正色値（“２１８”以上の値）を用いて生成された修正特性７１（図４０参照）に比べて、色値の変化に応じて測色値が単調増加する関係を示すものとなる。
【０３５６】
このため、更新後の修正色値を用いて修正特性７１を生成し、該修正特性７１を用いて補正テーブル７０Ｂを修正することで、更なる画質向上を図ることができる。
【０３５７】
以上説明したように、本実施の形態の情報処理装置１１Ｅの修正部６９Ｍは、予め定めた修正色値が、実測特性７４における最大色値の第２測色値を示す第１測色値に対応する、目標特性７２における色値以上の場合、該修正色値を該色値未満に更新し、更新後の修正色値を用いて、補正テーブル７０Ｂを修正する。
【０３５８】
従って、本実施の形態の情報処理装置１１Ｅは、特色画像５２と有色画像５４との積層画像５０の、更なる画質向上を図ることができる。
【０３５９】
また、修正色値は、実測特性７４における最大色値の第２測色値を示す第１測色値に対応する、目標特性７２における色値から、実測特性７４の最大色値と該色値との差分を減算した、色値であることが更に好ましい。
【０３６０】
また、修正色値は、目標特性７２における最大色値に対応する第１測色値と、実測特性７４における最大色値に対応する第２測色値と、の差が大きいほど、小さい値であることが好ましい。
【０３６１】
（変形例２）
上記実施の形態では、画像形成装置１２と、情報処理装置１０、１１、１１Ａ、１１Ｂ、１１Ｄ、１１Ｅと、を別体として構成した形態を一例として示した。しかし、画像形成装置１２と、情報処理装置１０、１１、１１Ａ、１１Ｂ、１１Ｄ、または１１Ｅと、を一体的に構成してもよい。
【０３６２】
図４２は、本変形例の画像形成装置１５の一例を示す模式図である。画像形成装置１５は、情報処理装置１０、１１、１１Ａ、１１Ｂ、１１Ｃ、１１Ｄ、または１１Ｅと、画像形成部１３と、測色器１４と、を含む。情報処理装置１０、１１、１１Ａ〜１１Ｅは、上記実施の形態の情報処理装置１０、１１、１１Ａ〜１１Ｅと同様である。画像形成部１３は、上記実施の形態の画像形成装置１２と同様である。測色器１４は、上記実施の形態の測色器１４と同様である。情報処理装置１０、１１、１１Ａ〜１１Ｅと画像形成部１３とは、データや信号を授受可能に接続されている。情報処理装置１０、１１、１１Ａ〜１１Ｅと測色器１４とは、データや信号を授受可能に接続されている。
【０３６３】
このように、画像形成装置１５が、情報処理装置１０、１１、１１Ａ、１１Ｂ、１１Ｃ、１１Ｄ、または１１Ｅと、画像形成部１３（画像形成装置１２）と、測色器１４と、を備えた構成であってもよい。
【０３６４】
なお、上記実施の形態では、測色器１４が情報処理装置１０、１１、１１Ａ、１１Ｂ、１１Ｃ、１１Ｄ、または１１Ｅに接続された形態を一例として説明した。しかし、測色器１４と画像形成装置１２とを直接接続した構成としてもよい。
【０３６５】
なお、上記実施の形態および変形例の情報処理装置１０、１１、１１Ａ、１１Ｂ、１１Ｃ、１１Ｄ、および１１Ｅで実行される処理は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記録されてコンピュータプログラムプロダクトとして提供される。
【０３６６】
また、上記実施の形態および変形例の情報処理装置１０、１１、１１Ａ、１１Ｂ、１１Ｄ、１１Ｅで実行されるプログラムを、インターネット等のネットワークに接続されたコンピュータ上に格納し、ネットワーク経由でダウンロードさせることにより提供するように構成してもよい。また、上記実施の形態および変形例の情報処理装置１０、１１、１１Ａ、１１Ｂ、１１Ｄ、１１Ｅで実行されるプログラムをインターネット等のネットワーク経由で提供または配布するように構成してもよい。
【０３６７】
また、上記実施の形態および変形例の情報処理装置１０、１１、１１Ａ、１１Ｂ、１１Ｄ、１１Ｅで実行されるプログラムを、ＲＯＭ等に予め組み込んで提供するように構成してもよい。
【０３６８】
なお、本発明は上記実施の形態および変形例そのままに限定されるものではなく、実施段階ではその要旨を逸脱しない範囲で構成要素を変形して具体化できる。また、上記実施の形態および変形例に開示されている複数の構成要素の適宜な組み合わせにより、種々の発明を形成できる。例えば、実施の形態に示される全構成要素から幾つかの構成要素を削除してもよい。さらに、異なる実施の形態にわたる構成要素を適宜組み合わせてもよい。また、種々の変形が可能である。
【符号の説明】
【０３６９】
１０、１１、１１Ａ、１１Ｂ、１１Ｄ、１１Ｅ  情報処理装置
１２、１３、１５  画像形成装置
６０Ｂ  γ補正部
６０Ｅ  送信部
６０Ｈ  取得部
６０Ｉ  決定部
６０Ｊ  特定部
６０Ｋ  生成部
６０Ｌ  更新部
６１Ｍ、６５Ｍ、６６Ｍ、６８Ｍ、６９Ｍ  修正部
６１Ｎ、６５Ｎ、６６Ｎ、６８Ｎ、６９Ｎ  色値特定部
６１Ｐ、６５Ｐ、６６Ｐ、６８Ｐ、６９Ｐ  特性生成部
６１Ｑ、６５Ｑ、６６Ｑ、６８Ｑ、６９Ｑ  色値修正部
【先行技術文献】
【特許文献】
【０３７０】
【特許文献１】特開２００９−０３１５１１号公報
【図１】
2018157542.tif 000003
【図２】
2018157542.tif 000004
【図３】
2018157542.tif 000005
【図４】
2018157542.tif 000006
【図５】
2018157542.tif 000007
【図６】
2018157542.tif 000008
【図７】
2018157542.tif 000009
【図８】
2018157542.tif 000010
【図９】
2018157542.tif 000011
【図１０】
2018157542.tif 000012
【図１１】
2018157542.tif 000013
【図１２】
2018157542.tif 000014
【図１３】
2018157542.tif 000015
【図１４】
2018157542.tif 000016
【図１５】
2018157542.tif 000017
【図１６】
2018157542.tif 000018
【図１７】
2018157542.tif 000019
【図１８】
2018157542.tif 000020
【図１９】
2018157542.tif 000021
【図２０】
2018157542.tif 000022
【図２１】
2018157542.tif 000023
【図２２】
2018157542.tif 000024
【図２３】
2018157542.tif 000025
【図２４】
2018157542.tif 000026
【図２５】
2018157542.tif 000027
【図２６】
2018157542.tif 000028
【図２７】
2018157542.tif 000029
【図２８】
2018157542.tif 000030
【図２９】
2018157542.tif 000031
【図３０】
2018157542.tif 000032
【図３１】
2018157542.tif 000033
【図３２】
2018157542.tif 000034
【図３３】
2018157542.tif 000035
【図３４】
2018157542.tif 000036
【図３５】
2018157542.tif 000037
【図３６】
2018157542.tif 000038
【図３７】
2018157542.tif 000039
【図３８】
2018157542.tif 000040
【図３９】
2018157542.tif 000041
【図４０】
2018157542.tif 000042
【図４１】
2018157542.tif 000043
【図４２】
2018157542.tif 000044